(57)【特許請求の範囲】
【請求項１】
画像が印刷されたシートをスイッチバックさせ、シートの表裏が反転されたシートを折ることによって製本物を生成するシート処理装置にシートを搬送可能な印刷装置であって、
前記製本物における本文用のシートと、前記製本物における表紙用のシートとに画像を印刷する印刷手段と、
前記印刷手段により前記本文用のシートの第１面に画像を印刷した後、前記本文用のシートの第２面に画像を印刷するために、前記本文用のシートを前記印刷手段に搬送する両面搬送路と、
前記両面搬送路を通過し、前記印刷手段により前記第２面に画像が印刷された前記本文用のシートを、反転せずに前記シート処理装置に搬送するとともに、前記印刷手段により片方の面にのみ画像が印刷された前記表紙用のシートを、反転し、あるいは反転せずに、前記シート処理装置に搬送する搬送手段と、
前記表紙用のシートにおける前記製本物の外側となる面に画像を印刷するよう指定され、かつ前記表紙用のシートが前記搬送手段により反転できない種類のシートである場合、前記印刷手段により前記本文用のシート及び前記表紙用のシートに画像を印刷する前にエラーをユーザに通知し、
前記表紙用のシートにおける前記製本物の外側となる面に画像を印刷するよう指定され、かつ前記表紙用のシートが前記搬送手段により反転できる種類のシートである場合、前記エラーをユーザに通知することなく、前記表紙用のシートを反転してから、前記表紙用のシートを前記シート処理装置に搬送し、
前記表紙用のシートにおける前記製本物の外側となる面に画像を印刷せず、前記表紙用のシートにおける前記製本物の内側となる面に画像を印刷するよう指定された場合、前記表紙用のシートが前記搬送手段により反転できない種類のシートであっても、前記エラーをユーザに通知することなく、前記表紙用のシートを反転せずに前記シート処理装置に搬送するよう制御する制御手段と、を有することを特徴とする印刷装置。
【請求項２】
前記制御手段は、前記表紙用のシートにおける前記製本物の外側となる面及び内側となる面の両方に画像を印刷するよう指定され、かつ前記表紙用のシートが両面印刷できない種類のシートである場合、前記エラーをユーザに通知するよう制御することを特徴とする請求項１に記載の印刷装置。
【請求項３】
前記制御手段は、前記表紙用のシートにおける前記製本物の外側となる面及び内側となる面の両方に画像を印刷するよう指定され、かつ前記表紙用のシートが両面印刷できる種類のシートである場合、前記表紙用のシートを反転せずに前記シート処理装置に搬送するよう制御することを特徴とする請求項１に記載の印刷装置。
【請求項４】
前記制御手段は、前記表紙用のシートにおける前記製本物の外側となる面及び内側となる面の両方に画像を印刷するよう指定され、かつ前記表紙用のシートが両面印刷できる種類のシートである場合、前記エラーをユーザに通知しないことを特徴とする請求項１に記載の印刷装置。
【請求項５】
前記制御手段は、前記エラーを表示部に表示するよう制御することを特徴とする請求項１に記載の印刷装置。
【請求項６】
前記制御手段は、画像が印刷されるシートの枚数が前記シート処理装置で処理できるシートの枚数を超える場合に、第２のエラーをユーザに通知するように制御することを特徴とする請求項１乃至５のいずれか１項に記載の印刷装置。
【請求項７】
前記表紙用のシートにおける前記製本物の外側となる面とは、オモテ表紙のオモテまたはウラ表紙のウラであることを特徴とすることを特徴とする請求項１に記載の印刷装置。
【請求項８】
前記表紙用のシートにおける前記製本物の内側となる面とは、オモテ表紙のウラまたはウラ表紙のオモテであることを特徴とすることを特徴とする請求項１に記載の印刷装置。
【請求項９】
画像が印刷されたシートをスイッチバックさせ、シートの表裏が反転された後、シートを折ることによって製本物を生成するシート処理装置にシートを搬送可能な印刷装置の制御方法であって、
印刷手段が、前記製本物における本文用のシートと、前記製本物における表紙用のシートとに画像を印刷する印刷工程と、
前記印刷工程で前記本文用のシートの第１面に画像を印刷した後、前記本文用のシートの第２面に画像を印刷するために、前記本文用のシートを前記印刷手段に搬送する搬送工程と、
前記印刷手段により前記第２面に画像が印刷された前記本文用のシートを、反転せずに前記シート処理装置に搬送するとともに、前記印刷手段により片方の面にのみ画像が印刷された前記表紙用のシートを、反転し、あるいは反転せずに、前記シート処理装置に搬送する搬送工程と、
前記表紙用のシートにおける前記製本物の外側となる面に画像を印刷するよう指定され、かつ前記表紙用のシートが前記印刷装置で反転できない種類のシートである場合、前記印刷手段により前記本文用のシート及び前記表紙用のシートに画像を印刷する前にエラーをユーザに通知し、
前記表紙用のシートにおける前記製本物の外側となる面に画像を印刷するよう指定され、かつ前記表紙用のシートが前記印刷装置で反転できる種類のシートである場合、前記エラーをユーザに通知することなく前記表紙用のシートを反転してから前記シート処理装置に搬送し、
前記表紙用のシートにおける前記製本物の外側となる面に画像を印刷せず、前記表紙用のシートにおける前記製本物の内側となる面に画像を印刷するよう指定された場合、前記表紙用のシートが前記印刷装置で反転できない種類のシートであっても、前記エラーをユーザに通知することなく、前記表紙用のシートを反転せずに、前記シート処理装置に搬送するよう制御する制御工程と、を有することを特徴とする印刷装置の制御方法。
【請求項１０】
前記制御工程では、前記表紙用のシートにおける前記製本物の外側となる面及び内側となる面の両方に画像を印刷するよう指定され、かつ前記表紙用のシートが両面印刷できない種類のシートである場合、前記エラーをユーザに通知するよう制御することを特徴とする請求項９に記載の印刷装置の制御方法。
【請求項１１】
前記制御工程では、前記表紙用のシートにおける前記製本物の外側となる面及び内側となる面の両方に画像を印刷するよう指定され、かつ前記表紙用のシートが両面印刷できる種類のシートである場合、前記表紙用のシートを反転せずに前記シート処理装置に搬送するよう制御することを特徴とする請求項９に記載の印刷装置の制御方法。
【請求項１２】
前記制御工程では、前記表紙用のシートにおける前記製本物の外側となる面及び内側となる面の両方に画像を印刷するよう指定され、かつ前記表紙用のシートが両面印刷できる種類のシートである場合、前記エラーをユーザに通知しないことを特徴とする請求項９に記載の印刷装置の制御方法。
【請求項１３】
前記制御工程では、前記エラーを表示部に表示するよう制御することを特徴とする請求項９に記載の印刷装置の制御方法。
【請求項１４】
前記制御工程では、画像が印刷されるシートの枚数が前記シート処理装置で処理できるシートの枚数を超える場合に、第２のエラーを通知するよう制御することを特徴とする請求項９乃至１３のいずれか１項に記載の印刷装置の制御方法。
【請求項１５】
前記表紙用のシートにおける前記製本物の外側となる面とは、オモテ表紙のオモテまたはウラ表紙のウラであることを特徴とすることを特徴とする請求項９に記載の印刷装置の制御方法。
【請求項１６】
前記表紙用のシートにおける前記製本物の内側となる面とは、オモテ表紙のウラまたはウラ表紙のオモテであることを特徴とすることを特徴とする請求項９に記載の印刷装置の制御方法。
【請求項１７】
画像が印刷されたシートをスイッチバックさせ、シートの表裏が反転された後、シートを折ることによって製本物を生成するシート処理装置にシートを搬送可能な印刷装置の制御方法を印刷装置のコンピュータに実行させるためのプログラムであって、
印刷手段が、前記製本物における本文用のシートと、前記製本物における表紙用のシートとに画像を印刷する印刷工程と、
前記印刷工程で前記本文用のシートの第１面に画像を印刷した後、前記本文用のシートの第２面に画像を印刷するために、前記本文用のシートを前記印刷手段に搬送する搬送工程と、
前記印刷手段により前記第２面に画像が印刷された前記本文用のシートを、反転せずに前記シート処理装置に搬送するとともに、前記印刷手段により片方の面にのみ画像が印刷された前記表紙用のシートを、反転し、あるいは反転せずに、前記シート処理装置に搬送する搬送工程と、
前記表紙用のシートにおける前記製本物の外側となる面に画像を印刷するよう指定され、かつ前記表紙用のシートが前記印刷装置で反転できない種類のシートである場合、前記印刷手段により前記本文用のシート及び前記表紙用のシートに画像を印刷する前にエラーをユーザに通知し、
前記表紙用のシートにおける前記製本物の外側となる面に画像を印刷するよう指定され、かつ前記表紙用のシートが前記印刷装置で反転できる種類のシートである場合、前記エラーをユーザに通知することなく前記表紙用のシートを反転してから前記シート処理装置に搬送し、
前記表紙用のシートにおける前記製本物の外側となる面に画像を印刷せず、前記表紙用のシートにおける前記製本物の内側となる面に画像を印刷するよう指定された場合、前記表紙用のシートが前記印刷装置で反転できない種類のシートであっても、前記エラーをユーザに通知することなく、前記表紙用のシートを反転せずに、前記シート処理装置に搬送するよう制御する制御工程と、を有することを特徴とするプログラム。
【発明の詳細な説明】
【技術分野】
【０００１】
本発明は、印刷装置、印刷装置の制御方法、及びプログラムに関する。
【背景技術】
【０００２】
従来、中綴じ製本処理を実行可能なシート処理装置を備える印刷装置がある。
シート処理装置は、印刷装置によって画像が印刷されたシートを複数枚蓄積した後、シートの中央を綴じ、綴じられたシートを２つに折り、本の形にして出力する。
また、特許文献１には、画像が印刷されたシートを、シート処理装置内でスイッチバックさせて、シートを複数枚蓄積した後、シートの中央を綴じ、綴じられたシートを２つに折り、本の形にして出力するシート処理装置が記載されている（特許文献１参照）。
このようにスイッチバックする機構を用いることで、シートの搬送路の一部が共通化され、シート処理装置を小型化することができる。
【先行技術文献】
【特許文献】
【０００３】
【特許文献１】特開２００５−１４２６０９号公報
【発明の概要】
【発明が解決しようとする課題】
【０００４】
シートをスイッチバックする機構を用いる場合、印刷面が上向きになるように排紙されたシートがスイッチバックされる。そのため、表紙の片面に印刷した後、その表紙を反転せずに本文に付加し、中綴じ製本処理を実行すると、画像が印刷された印刷面は製本物の内側になる。
【０００５】
表紙に画像を印刷した後、表紙を印刷装置の本体内で反転させれば、画像が印刷された印刷面を製本物の外側に向けることができる。
【０００６】
しかしながら、シートの中には、坪量の大きな厚紙のように、印刷装置の本体内で用紙を反転できない種類のシートがある。そのため、そのような種類のシートを表紙に用いる場合、表紙の外側に画像が印刷された製本物を生成することができない。
【０００７】
従来は、このような制限を考慮した制御が行われていない。そのため、例えば、ユーザは、実行できない設定がされていることに気付かずに実行指示を行ってしまうことがある。
【０００８】
また、印刷面が下向きになるようにシートを排紙する印刷装置がある。このような印刷装置で画像が印刷されたシートをスイッチバックさせて中綴じ製本処理を実行する場合、画像が印刷された印刷面は製本物の外側になる。
【０００９】
表紙に画像を印刷した後、表紙を印刷装置の本体内で反転させれば、画像が印刷された印刷面を製本物の内側に向けることができる。
【００１０】
しかしながら、シートの中には、坪量の大きな厚紙のように、印刷装置の本体内で用紙を反転できない種類のシートがある。そのため、そのような種類のシートを表紙に用いる場合、表紙の内側に画像が印刷された製本物を生成することができない。
【００１１】
従来は、このような制限を考慮した制御が行われていない。そのため、例えば、ユーザは、実行できない設定がされていることに気付かずに実行指示を行ってしまうことがある。
【００１２】
本発明は、このような課題に鑑みてなされたものである。本発明の目的は、画像が印刷されたシートをスイッチバックさせ、シートの表裏が反転した後のシートを折ることによって製本物を生成する場合に、表紙の印刷面と表紙に用いるシートの種類を考慮した制御を行うことである。
【課題を解決するための手段】
【００１３】
本発明の印刷装置は、画像が印刷されたシートをスイッチバックさせ、シートの表裏が反転されたシートを折ることによって製本物を生成するシート処理装置にシートを搬送可能な印刷装置であって、前記製本物における本文用のシートと、前記製本物における表紙用のシートとに画像を印刷する印刷手段と、前記印刷手段により前記本文用のシートの第１面に画像を印刷した後、前記本文用のシートの第２面に画像を印刷するために、前記本文用のシートを前記印刷手段に搬送する両面搬送路と、前記両面搬送路を通過し、前記印刷手段により前記第２面に画像が印刷された前記本文用のシートを、反転せずに前記シート処理装置に搬送するとともに、前記印刷手段により片方の面にのみ画像が印刷された前記表紙用のシートを、反転し、あるいは反転せずに、前記シート処理装置に搬送する搬送手段と、前記表紙用のシートにおける前記製本物の外側となる面に画像を印刷するよう指定され、かつ前記表紙用のシートが前記搬送手段により反転できない種類のシートである場合、前記印刷手段により前記本文用のシート及び前記表紙用のシートに画像を印刷する前にエラーをユーザに通知し、前記表紙用のシートにおける前記製本物の外側となる面に画像を印刷するよう指定され、かつ前記表紙用のシートが前記搬送手段により反転できる種類のシートである場合、前記エラーをユーザに通知することなく前記表紙用のシートを反転してから前記シート処理装置に搬送し、前記表紙用のシートにおける前記製本物の外側となる面に画像を印刷せず、前記表紙用のシートにおける前記製本物の内側となる面に画像を印刷するよう指定された場合、前記表紙用のシートが前記搬送手段により反転できない種類のシートであっても、前記エラーをユーザに通知することなく、前記表紙用のシートを反転せずに、前記シート処理装置に搬送するよう制御する制御手段と、を有する。
【発明の効果】
【００１４】
本発明によれば、画像が印刷されたシートをスイッチバックさせ、シートの表裏が反転した後のシートを折ることによって製本物を生成する場合に、表紙の印刷面と表紙に用いるシートの種類を考慮した制御を行うことができる。
【図面の簡単な説明】
【００１５】
【図１】本発明の実施形態における画像形成装置の構成を示す断面図である。
【図２】本発明の実施形態におけるシート処理装置の構成の一部を示す断面図である。
【図３】本発明の実施形態における画像形成装置の構成を示すブロック図である。
【図４】本発明の実施形態における操作部の構成を示す図である。
【図５】本実施形態に係る画面を説明するための図である。
【図６】本実施形態に係る画面を説明するための図である。
【図７】本発明の第１の実施形態に係る用紙管理テーブルを説明するための図である。
【図８】本実施形態に係る画面を説明するための図である。
【図９】本実施形態に係る画面を説明するための図である。
【図１０】本実施形態に係る画面を説明するための図である。
【図１１】本実施形態に係る画面を説明するための図である。
【図１２】本実施形態に係る画面を説明するための図である。
【図１３】本実施形態に係る画面を説明するための図である。
【図１４】本実施形態に係る画面を説明するための図である。
【図１５】本実施形態に係る画面を説明するための図である。
【図１６】本発明の第１の実施形態に係る原稿とレイアウト後の画像と印刷結果を示す図である。
【図１７】本発明の第１の実施形態に係る原稿とレイアウト後の画像と印刷結果を示す図である。
【図１８】本発明の第１の実施形態に係る原稿とレイアウト後の画像と印刷結果を示す図である。
【図１９】本発明の第１の実施形態に係る原稿とレイアウト後の画像と印刷結果を示す図である。
【図２０】本発明の第１の実施形態に係る制御例を説明するためのフローチャートである。
【図２１】本発明の第１の実施形態に係る制御例を説明するためのフローチャートである。
【図２２】本発明の第１の実施形態に係る制御例を説明するためのフローチャートである。
【図２３】本実施形態に係る画面を説明するための図である。
【図２４】本実施形態に係る画面を説明するための図である。
【図２５】本実施形態に係る画面を説明するための図である。
【図２６】本発明の第２の実施形態における画像形成装置とシート処理装置を含む印刷システムの構成を示す断面図である。
【図２７】本発明の第２の実施形態に係る用紙管理テーブルを説明するための図である。
【図２８】本発明の第２の実施形態に係る原稿とレイアウト後の画像と印刷結果を示す図である。
【図２９】本発明の第２の実施形態に係る原稿とレイアウト後の画像と印刷結果を示す図である。
【図３０】本発明の第２の実施形態に係る原稿とレイアウト後の画像と印刷結果を示す図である。
【図３１】本発明の第２の実施形態に係る原稿とレイアウト後の画像と印刷結果を示す図である。
【図３２】本発明の第２の実施形態に係る制御例を説明するためのフローチャートである。
【図３３】本発明の第２の実施形態に係る制御例を説明するためのフローチャートである。
【図３４】本発明の第２の実施形態に係る制御例を説明するためのフローチャートである。
【発明を実施するための形態】
【００１６】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１７】
〔第１の実施形態〕
図１は、本発明の第１の実施形態を示す印刷装置の一例である画像形成装置とシート処理装置を含む印刷システムの構成を示す図である。画像形成装置は、シート処理装置と搬送路でつながっており、シート処理装置にシートを搬送可能である。
【００１８】
本実施形態では、印刷装置として、コピー機能、プリンタ機能、ファクシミリ機能等の複数の機能を有する画像形成装置（ＭＦＰ）を例に説明する。しかしながら、画像形成装置は、コピー機能、プリンタ機能、ファクシミリ機能のうち、１つの機能のみを有する画像形成装置（ＳＦＰ）であってもよい。なお、ＭＦＰは、Ｍｕｌｔｉ  Ｆｕｎｃｔｉｏｎａｌ  Ｐｅｒｉｐｈｅｒａｌの略である。また、ＳＦＰは、Ｓｉｎｇｌｅ  Ｆｕｎｃｔｉｏｎ  Ｐｅｒｉｐｈｅｒａｌの略である。
【００１９】
図１において、画像形成装置は、スキャナ３０１とオートドキュメントフィーダ（ＡＤＦ）３０２と、カラー４色ドラムを備えるプリントエンジン３１３と、デッキ３５４とを有する。
【００２０】
まず、スキャナ３０１によって行われる読取動作について説明する。
【００２１】
原稿台に原稿をセットして読取動作を行う場合、ユーザは、原稿台３０７に原稿をセットしてＡＤＦ３０２を閉じる。ＡＤＦ３０２が閉じられたことを開閉センサが検知すると、スキャナ３０１の筐体内にある反射式の原稿サイズ検知センサが、原稿台にセットされた原稿サイズを検知する。
【００２２】
原稿サイズが検知されたら、光源３１０は原稿を照射し、照射された光が、反射板３１１、レンズ３１２を介してＣＣＤ３４３に入射する。ＣＣＤ３４３は、入射された光をデジタル信号に変換し、スキャナ３０１のコントローラに送る。コントローラは、送られてきたデジタル信号に、所望の画像処理を行ってレーザ記録信号に変換し、画像データとしてメモリに格納する。
【００２３】
ＡＤＦ３０２上に原稿をセットして読取動作を行う場合、ユーザは、ＡＤＦ３０２の原稿セット部３０３のトレイ上に原稿をフェイスアップで載置する。原稿が載置されると、原稿有無センサは、原稿がセットされたことを検知する。コントローラは、原稿有無検知センサによって原稿がセットされたことを検知すると、原稿給紙ローラと搬送ベルトを回転させて、原稿を原稿台３０７上の所定の読取位置まで搬送する。原稿を所定の読取位置まで搬送すると、コントローラは原稿の読取動作を行い、原稿の読取動作によって生成された画像データをメモリに格納する。そして、読取動作が完了した原稿を、搬送ローラを経由して原稿排紙トレイ３０９へ排紙する。
【００２４】
ＡＤＦ３０２上にセットされた原稿が複数枚存在する場合、コントローラは、読取動作が完了した原稿を排紙すると同時に、給紙ローラを用いて次の原稿を給紙し、次の原稿の読取動作を行う。このようにして、複数枚の原稿の読取動作を行う。
【００２５】
次に、プリンタ３１３によって行われる印刷動作について説明する。
【００２６】
コントローラ内のメモリに一旦記憶された記録信号（印刷画像データ）は、プリンタ３１３へと転送され、レーザ記録部でＹｅｌｌｏｗ、Ｍａｇｅｎｔａ、Ｃｙａｎ、Ｂｌａｃｋのそれぞれの色のための記録レーザ光に変換される。そして、記録レーザ光は、各色の感光体３１６に照射され、感光体に静電潜像を形成する。
【００２７】
そして、トナーカートリッジ３１７から供給されるトナーによりトナー現像を行い、可視化された画像は中間転写ベルト３２１に一次転写される。その後、中間転写ベルト３２１は時計回転方向に回転し、カセット３５０〜３５３あるいはデッキ３５４から給紙搬送路３１９を通って給送された用紙が二次転写位置３２０にきたところで、中間転写ベルト３２１から用紙へと画像が転写される。
【００２８】
用紙に転写された画像は、定着器３２２で、加圧と熱により定着され、排紙搬送路を搬送される。そして、用紙は、シート処理装置３１５への排紙口３２５へと排紙される。フラッパ３２６は、ストレート排紙と反転排紙の２つのモードを切り替えるための機構である。フラッパ３２６が下方に位置する場合、用紙は印刷面が上向きの状態で排紙される（ストレート排紙）。一方、フラッパ３２６が上方に位置する場合、用紙は、下の搬送路に搬送される。用紙を反転させる場合、用紙は反転部３４８まで搬送された後、スイッチバックされ、用紙の表裏が反転され、用紙の印刷面が下向きの状態で排紙口３２５へと搬送される（反転排紙）。
【００２９】
両面印刷を行う場合、用紙が定着器３２２を通過し、用紙の第１面への画像の印刷が完了した後に、フラッパ３２６を上方に位置させ、用紙を反転部３４８まで搬送する。その後、用紙が反転部３４８まで搬送された後、両面印刷用の搬送路３３０へ搬送されるようにフラッパ３２７が切り替わる。スイッチバックすることで用紙は両面印刷用の搬送路３３０を経て、再び二次転写位置３２０に搬送され、用紙の第２面目への画像の印刷が行われる。
【００３０】
次に、図２（ａ）〜（ｅ）を用いて、シート処理装置３１５で行われる動作について説明する。図２（ａ）〜（ｅ）は、図１に示すシート処理装置３１５の一部を示す図である。
【００３１】
シート処理装置３１５は、ユーザによって指定された設定に応じて、用紙に対してシート処理（後処理）を行う。
【００３２】
シート処理装置３１５によって実行可能なシート処理の例として、ステイプル（１個所・２箇所綴じ）やパンチ（２穴・３穴・４穴）、中綴じ処理がある。
【００３３】
図２（ａ）に示すように、シート処理装置３１５は、搬送ローラ３１〜３９と、先端検知センサ５０、５３と、後端検知センサ４８と、ステイプラ４２と、突き板４３と、ストッパ４４と、折りローラ４５、４６と、束搬送ローラ対４７とを備えている。
【００３４】
シート処理装置３１５は、画像形成装置のコントローラ部からのコマンドによって動作してもよいし、独自のコントローラによって動作してもよい。
【００３５】
画像形成装置から搬送された用紙は、ユーザによって設定されたシート処理の種類に応じて、積載トレイ３２８、３２９、中綴じ処理トレイ３３１のいずれかに排紙される。積載トレイ３２８、３２９、中綴じ処理トレイ３３１はそれぞれ、積載部の一例である。
【００３６】
例えば、シート処理を実行しない場合、用紙は積載トレイ３２８に排紙される。一方、ユーザによってステイプル処理を実行するよう設定されている場合、用紙は積載トレイ３２９に排紙される。また、中綴じ製本処理を実行する場合、用紙は中綴じ処理トレイ３３１に排紙される。
【００３７】
中綴じ製本処理を実行する場合について、図２（ａ）〜（ｅ）を用いて詳細に説明する。
【００３８】
画像形成装置から搬送された用紙は、図２（ａ）に示されるように、搬送ローラ３１、３７、３８により用紙の後端が後端検知センサ４８に到達するまで搬送される。そして、後端検知センサ４８で用紙の後端が検知されると、用紙を挟持している搬送ローラ３７、３８が停止する。
【００３９】
次に、搬送ローラ３７、３８の逆回転により用紙をスイッチバックさせて、図２（ｂ）に示されるように、搬送ローラ３６により用紙の先端が先端検知センサ５０に到達するまで搬送される。そして、先端検知センサ５０で用紙の先端が検知されると、用紙を挟持している搬送ローラ３６が減速し、斜行修正ローラ５１のニップに用紙の先端が突き当てられる。
【００４０】
用紙の先端が斜行修正ローラ５１のニップに突き当たった後も、搬送ローラ３６はしばらく回転し続ける。そして、ループ空間において用紙がループを形成した後、搬送ローラ３６が停止する。
【００４１】
次に、斜行修正ローラ５１が回転を始める。用紙が斜行している場合は、斜行修正ローラ５１によって斜行が修正される。そして、斜行が修正された用紙は、搬送ローラ３９の方向へ搬送される。用紙の先端が先端検知センサ５３によって検知されると、その時点から所定の量だけ用紙が搬送され、図２（ｃ）に示されるように、用紙の先端がストッパ４４に突き当てられる。
【００４２】
この際、図２（ｃ）に示すように、ステイプラ４２による綴じ位置が用紙の中央部にくるように、用紙はストッパ４４によって位置決めされる。上記の動作を繰り返し、複数枚の用紙が搬送パス内部４１に順次搬送される。
【００４３】
そして、製本物を構成する全ての用紙が搬送パス４１内部に搬送されると、それらの用紙は不図示の幅方向整合板によって幅方向を整合され、搬送パス４１内部で用紙束を形成する。
【００４４】
このとき、搬送パス４１内部に搬送される用紙は、製本物の内側に該当する用紙から順次搬送され、製本物の表紙に該当する用紙が最後になるように搬送される。
【００４５】
そして、中綴じ製本処理を行うように設定されている場合、ステイプラ４２が、用紙の束に対して綴じ処理を行う。ステイプラ４２によって用紙の束が綴じられると、用紙の束を支持していたストッパ４４が搬送方向下流側へ移動する。それに伴い、図２（ｄ）に示されるように用紙の束が搬送方向下流へ移動する。
【００４６】
ストッパ４４は、用紙の束の中央部が突き板４３の位置にくるように、用紙の束を位置決めする。そして、ストッパ４４によって位置決めされた用紙の束の折り目が形成される部分に対し、突き板４３の先端が当接し、用紙の束を折りローラ４５、４６のニップに押し込んで用紙の束に折り目を形成する。そして、折りローラ４５、４６によって折り目が形成された用紙の束は、図２（ｅ）に示されるように、束搬送ローラ対４７によって中綴じ処理トレイ３３１に排出される。
【００４７】
次に、図３を用いて、画像形成装置が有するコントローラのハードウェア構成の詳細について説明する。
【００４８】
メインコントローラ４０１は、ＣＰＵ４０２と、バスコントローラ４０３、及び各種Ｉ／Ｆコントローラ回路から構成される。
【００４９】
ＣＰＵ４０２とバスコントローラ４０３は、機器全体の動作を制御するものである。
【００５０】
ＣＰＵ４０２は、ＲＯＭ４０４からＲＯＭ  Ｉ／Ｆ４０５を経由して読み込んだプログラムに基づいて動作する。また、外部のＰＣから受信したＰＤＬ（ページ記述言語）コードデータを解釈し、ラスターイメージデータに展開する動作も、このプログラムに記述されており、ソフトウェアによって処理される。バスコントローラ４０３は各Ｉ／Ｆから入出力されるデータ転送を制御するものであり、バスの調停やＤＭＡデータ転送の制御を行う。
【００５１】
ＤＲＡＭ４０６はＤＲＡＭ  Ｉ／Ｆ４０７によってメインコントローラ４０１と接続されており、ＣＰＵ４０２が動作するためのワークエリアや、画像データを蓄積するためのエリアとして使用される。
【００５２】
コーデック（Ｃｏｄｅｃ）４０８は、ＤＲＡＭ４０６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。
【００５３】
ＳＲＡＭ４０９はコーデック４０８の一時的なワーク領域として使用される。コーデック４０８はＩ／Ｆ４１０を介してメインコントローラ４０１と接続され、ＤＲＡＭ４０６との間のデータの転送は、バスコントローラ４０３によって制御され、ＤＭＡ転送される。
【００５４】
グラフィックプロセッサ（Ｇｒａｐｈｉｃ）４２４は、ＤＲＡＭ４０６に蓄積されたラスターイメージデータに対して、画像回転、画像変倍、色空間変換、二値化の処理をそれぞれ行う。
【００５５】
ＳＲＡＭ４２５はグラフィックプロセッサ４２４の一時的なワーク領域として使用される。グラフィックプロセッサ４２４はＩ／Ｆを介してメインコントローラ４０１と接続され、ＤＲＡＭ４０６との間のデータの転送は、バスコントローラ４０３によって制御されＤＭＡ転送される。
【００５６】
ネットワークコントローラ４１１は、Ｉ／Ｆ４１３によってメインコントローラ４０１と接続され、コネクタ４１２によって外部ネットワークと接続される。ネットワークの例として、一般的にイーサネット（登録商標）があげられる。外部のＰＣから受信した印刷データは、ネットワークコントローラ４１１によって受信制御され、ＣＰＵ４０２へと送られる。ＣＰＵ４０２は、送られた印刷データを、ＤＲＡＭ４０６あるいはＨＤ（ハードディスク）４４０に格納して処理する。
【００５７】
汎用高速バス４１５には、拡張コネクタ４１４とＩ／Ｏ制御部４１６とが接続される。本実施形態で、シート処理装置３１５とのコマンドの送受は、汎用高速バス４１５を通して行われる。
【００５８】
Ｉ／Ｏ制御部４１６には、スキャナ部、プリンタ部の各ＣＰＵと制御コマンドを送受信するための調歩同期シリアル通信コントローラ４１７が２チャンネル装備されている。Ｉ／Ｏ制御部４１６は、Ｉ／Ｏバス４１８によってスキャナＩ／Ｆ回路４２６、プリンタＩ／Ｆ回路４３０に接続されている。
【００５９】
パネルＩ／Ｆ４２１は、ＬＣＤコントローラ４２０に接続され、図４に示す操作部５０１上の液晶画面に表示を行うためのＩ／Ｆと、ハードキーやタッチパネルキーの入力を行うためのキー入力Ｉ／Ｆとから構成される。操作部５０１の詳細については後述する。
【００６０】
リアルタイムクロックモジュール４２２は、機器内で管理する日付と時刻を更新／保存するためのもので、バックアップ電池４２３によってバックアップされている。
【００６１】
Ｅ−ＩＤＥ  Ｉ／Ｆ４３９は、外部記憶装置を接続するためのものである。本実施例において、ＣＰＵ４０２は、このＥ−ＩＤＥ  Ｉ／Ｆ４３９を介してハードディスクドライブ４３８を接続し、ハードディスク４４０へ画像データを記憶させたり、ハードディスク４４０から画像データを読み出したりする動作を行う。コネクタ４２７と４３２は、それぞれスキャナ部とプリンタ部とに接続され、同調歩同期シリアルＩ／Ｆ（４２８、４３３）とビデオＩ／Ｆ（４２９、４３４）とから構成される。
【００６２】
スキャナＩ／Ｆ４２６は、コネクタ４２７を介してスキャナ部と接続され、また、スキャナバス４４１によってメインコントローラ４０１と接続されており、スキャナ部から受け取った画像に対して所定の処理を施す機能を有する。さらに、スキャナＩ／Ｆ４２６は、スキャナ部から送られたビデオ制御信号をもとに生成した制御信号を、スキャナバス４２９に出力する機能も有する。スキャナバス４２９からＤＲＡＭ４０６へのデータ転送は、バスコントローラ４０３によって制御される。
【００６３】
プリンタＩ／Ｆ４３０は、コネクタ４３２を介してプリンタ部と接続され、また、プリンタバス４３１によってメインコントローラ４０１と接続される。プリンタＩ／Ｆ４３０は、メインコントローラ４０１から出力された画像データに所定の処理を施して、プリンタ部へ出力する機能を有する。さらに、プリンタＩ／Ｆ４３０は、プリンタ部から送られたビデオ制御信号をもとに生成した制御信号を、プリンタバス４３１に出力する機能も有する。ＤＲＡＭ４０６上に展開されたラスターイメージデータのプリンタ部への転送は、バスコントローラ４０３によって制御され、プリンタバス４３１、ビデオＩ／Ｆ４３４を経由して、プリンタ部へＤＭＡ転送される。
【００６４】
ＳＲＡＭ４３６は、バックアップ用電池から供給される電源により、装置全体が電源遮断されても記憶内容を保持できる構成となっているメモリであり、バス４３５を介してＩ／Ｏ制御部と接続されている。ＥＥＰＲＯＭ４３７も同様にバス４３５を介してＩ／Ｏ制御部と接続されているメモリである。
【００６５】
次に、図４を用いて、操作部５０１について説明する。
【００６６】
操作部５０１は、液晶表示部と液晶表示部上に張り付けられたタッチパネル入力装置と、複数個のハードキーを有する。
【００６７】
このような操作部５０１を介して、ユーザは、ジョブの設定や画像形成装置の機器設定等の各種設定を行なう。
【００６８】
リセットキー５０２は、ユーザが設定した設定値などを取り消すためのキーである。
【００６９】
ストップキー５０３は、動作中のジョブを中止させるためのキーである。
【００７０】
テンキー５０４は、置数などの数値入力を行うためのキーである。
【００７１】
表示部５０５は、タッチパネルと液晶表示部が一体型になっておりＣＰＵ４０２からの指示に基づいて様々な画面を液晶表示部によって表示したり、タッチパネルを介してユーザから指示を受け付けたりする。液晶表示部には、例えば、画像形成装置を操作するための操作画面や、印刷対象の画像データが表示される。タッチパネルまたはハードキーにより入力された信号は前述したパネルＩ／Ｆ４２１を介してＣＰＵ４０２に伝えられる。
【００７２】
スタートキー５０６は原稿の読み込みなどジョブをスタートさせるためのキーである。
【００７３】
クリアキー５０７は設定などをクリアするためのキーである。
【００７４】
ランプ５０８は、ジョブの実行中である場合や、画像形成装置やシート処理装置３１５にエラーが発生している場合に点灯することによって、ユーザに装置の状態を通知する。
【００７５】
次に、操作部５０１の表示部５０５に表示された画面を介して製本処理を設定する手順について、図５、図６を参照しながら説明する。
【００７６】
ユーザによって製本処理を実行させるための設定が行われると、画像形成装置は、設定に基づいて印刷するページのレイアウトを行った画像を生成し、生成された画像に従って印刷を実行する。そして、シート処理装置３１５は、設定に基づいて適切なシート処理を行う。
【００７７】
図５は、ユーザが製本物で使用する用紙を設定する場合に表示部５０５に表示される製本設定画面の画面遷移の一例を示す模式図である。
【００７８】
コピー標準画面１００１は、表示部５０５に表示される画面である。コピー標準画面１００１の「自動用紙」は、設定に基づいて自動で最適な用紙を選択してコピー動作を実現する自動用紙選択が設定されていることを示している。
【００７９】
ＣＰＵ４０２が、「製本」キー１１０１が押下されたことを検出すると、製本のポータル画面１００２を表示する。ポータル画面１００２には、「製本割付する」キー１１０２、「製本割付しない」キー１１０３が表示されている。「製本割付する」キー１１０２は、スキャナ３０１で読み取った原稿の画像を用紙の左右のいずれかにレイアウトして印刷するよう指示するためのキーである。各原稿の画像は、画像が印刷された用紙を折ったときに画像が製本用のページ順になるように並び替えられて用紙に印刷される。「製本割付しない」キー１１０３は、スキャナ３０１で読み取った１枚の原稿の画像を１枚の用紙に原稿のままレイアウトするよう指示するためのキーである。
【００８０】
また、ポータル画面１００２には、製本物の仕上がりを設定するための「折り＋中とじ」キー１１０４、「折らない」キー１１０５、「折りのみ」キー１１０６が表示されている。製本の仕上がりには下記の３つの形態がある。
形態１：折り＋中とじ（中綴じ製本処理）
形態２：折りのみ（中折り製本処理）
形態３：折らない（製本レイアウト処理）
形態１の場合、画像形成装置で印刷された用紙は、シート処理装置３１５に搬送され、ストッパ４４によってシート処理装置３１５の内部の図２（ｄ）に示す位置に蓄積される。そして、印刷された用紙が所定の枚数揃ったところで、用紙の中央を、ステイプラ４２によって綴じる綴じ処理が行われる。その後、綴じ処理が実行された用紙は、突き板４３及び折りローラ４５、４６によって２つに折る折り処理が実行され、束搬送ローラ対４７により搬送されて中綴じ処理トレイ３３１に排紙される。ポータル画面１００２で、ＣＰＵ４０２が「折り＋中とじ」キー１１０４が押下されたことを検出すると、「折り＋中とじ」キー１１０４が反転表示され、形態１の中綴じ製本処理を実行するよう設定される。
【００８１】
形態２の場合、画像形成装置で印刷された用紙は、シート処理装置３１５に搬送され、シート処理装置３１５の内部の図２（ｄ）に示す位置に蓄積される。そして、印刷された用紙が、所定の枚数揃ったところで、突き板４３及び折りローラ４５、４６によって２つに折る折り処理が実行され、束搬送ローラ対４７により搬送されて中綴じ処理トレイ３３１に排紙される。この場合、綴じ処理は実行されない。ポータル画面１００２で、ＣＰＵ４０２が「折りのみ」キー１１０６が押下されたことを検出すると、「折りのみ」キー１１０６が反転表示され、形態２の中折り製本処理を実行するよう設定される。
【００８２】
形態３の場合、製本用のレイアウトでページ画像を配置するが、綴じ処理も折り処理も行うことなく排紙する。この場合、中綴じ処理トレイ３３１ではなく、積載トレイ３２８に排紙する。ユーザは、別途、オフラインフィニッシャと呼ばれる製本専用のシート処理装置を用いて、用紙に対して綴じ処理や折り処理を実行して製本物を手に入れる。ポータル画面１００２で、ＣＰＵ４０２が「折らない」キー１１０５が押下されたことを検出すると、「折らない」キー１１０５が反転表示され、形態３の製本レイアウト処理を実行するよう設定される。
【００８３】
さらに、ポータル画面１００２には、製本物に表紙をつけるか否かを設定するための「表紙をつける」キー１１０７や、製本物を左開きにするか右開きにするかを設定するための「開き方」キー１１０８が表示されている。そして、ポータル画面１００２には、スキャナ３０１で読み取る原稿のサイズを設定するための「変更」キー１１０９や両面原稿か否かを設定するための「両面原稿」キー１１１０や製本物に使用する用紙を設定するための「変更」キー１１１１が表示されている。
【００８４】
ポータル画面１００２で、ＣＰＵ４０２が製本物に使用する用紙を設定するための「変更」キー１１１１が押下されたことを検出すると、用紙選択画面１００３を表示する。用紙選択画面１００３には、ユーザが製本物に使用する所望の用紙を選択できるようにカセット３５０〜３５３やデッキ３５４に格納されている各々の用紙のサイズと名称が上から順にリスト形式で表示されている。用紙選択画面１００３では、カセット３５０にＡ３で名称「普通紙（６４ｇ〜１０５ｇ／ｍ２）」の用紙が格納されていることが示されている。また、用紙選択画面１００３では、カセット３５０が、製本物に使用する用紙として選択されている状態にあることを示すためにカセット３５０に該当する行１１１２が反転表示されている。一方、カセット３５１にはＡ３で名称「厚紙１（１０６〜１５０ｇ／ｍ２）」の用紙が格納されており、カセット３５２にはＡ３で名称「厚紙２（１５１〜２２０ｇ／ｍ２）」の用紙が格納されていることが示されている。また、カセット３５３にはＡ３で名称「厚紙３（２２１〜２５６ｇ／ｍ２）」の用紙が格納されており、デッキ３５４にはＡ３で名称「厚紙４（２５７〜３００ｇ／ｍ２）」の用紙が格納されていることが示されている。
【００８５】
用紙選択画面１００３で、ＣＰＵ４０２がカセット３５１に該当する行１１１３が押下されたことを検出すると、用紙選択画面１００４に示すようにカセット３５１に該当する行１１１４が反転表示される。
【００８６】
用紙選択画面１００４で、ＣＰＵ４０２が「ＯＫ」キー１１１５が押下されたことを検出すると、製本のポータル画面１００５が表示される。製本のポータル画面１００５では、表示欄１１１６に、製本物に使用する用紙をカセット３５１から給紙することを示している。
【００８７】
ポータル画面１００５で、ＣＰＵ４０２が「ＯＫ」キー１１１７が押下されたことを検出すると、コピー標準画面１００６が表示される。コピー標準画面１００６の表示欄１１１８には、製本を行う設定がされた状態であることが示されている。ＣＰＵ４０２は、図５に示す画面を介して受け付けた設定をＤＲＡＭ４０６に保持しておく。
【００８８】
ポータル画面１００５またはコピー標準画面１００６に示す画面が表示された状態で、スタートキー５０６が押されると、ＣＰＵ４０２はＤＲＡＭ４０６に格納された設定に従って原稿の読取動作及びプリンタ部による印刷動作及びシート処理制御を開始する。
【００８９】
以上のような操作を行うことで、ユーザは、中綴じ製本処理や中折り製本処理や製本レイアウト処理が実行された製本物を手に入れることができる。
【００９０】
また、ユーザは、中綴じ製本処理や中折り製本処理や製本レイアウト処理が実行された製本物に、表紙をつけるよう指示することができる。また、ユーザは、表紙に画像を印刷する箇所や、表紙として用いる用紙の種類を設定することができる。表紙の設定は、図６のポータル画面１２０１で「表紙をつける」キー１３０１によって行われる。
【００９１】
図６（Ａ）のポータル画面１２０１は、図５（Ｂ）に示すポータル画面と同じ画面であり、表示部５０５に表示される。
【００９２】
ポータル画面１２０１で、「表紙をつける」キー１３０１が押下されたことを検出すると、ＣＰＵ４０２は、表紙の印刷箇所を設定する設定画面１２０２を表示部５０５に表示させる。なお、ここでは、ポータル画面１２０１の「開き方」キー１１０８によって左開きが設定されている場合を例に説明する。
【００９３】
設定画面１２０２には、左開きの製本物につける表紙のオモテに印刷するか否かを設定するための「プリントする」キー１３０２、「プリントしない」キー１３０３が表示されている。左開きの製本物につける表紙のオモテとは、図６（Ｂ）の「表紙のオモテ」の右隣に表示されているアイコンに示されるように、左開きの製本物のオモテ表紙の外側に位置する面である。
【００９４】
また、設定画面１２０２には、左開きの製本物につける表紙のウラに印刷するか否かを設定するための「プリントする」キー１３０４、「プリントしない」キー１３０５が表示されている。左開きの製本物につける表紙のウラとは、図６（Ｂ）の「表紙のウラ」の右隣に表示されているアイコンに示されるように、左開きの製本物のオモテ表紙の内側に位置する面である。
【００９５】
さらに、設定画面１２０２には、左開きの製本物につける裏表紙のオモテに印刷するか否かを設定するための「プリントする」キー１３０６、「プリントしない」キー１３０７が表示されている。左開きの製本物につける裏表紙のオモテとは、図６（Ｂ）の「ウラ表紙のオモテ」の右隣に表示されているアイコンに示されるように、左開きの製本物のウラ表紙の内側に位置する面である。
【００９６】
また、設定画面１２０２には、左開きの製本物につける裏表紙のウラに印刷するか否かを設定するための「プリントする」キー１３０８、「プリントしない」キー１３０９が表示されている。左開きの製本物につける裏表紙のウラとは、図６（Ｂ）の「ウラ表紙のウラ」の右隣に表示されているアイコンに示されるように、左開きの製本物のウラ表紙の外側に位置する面である。
【００９７】
そして、設定画面１２０２には、製本物につける表紙に使用する用紙を設定するための「変更」キー１３１０が表示されている。
【００９８】
設定画面１２０２で、ＣＰＵ４０２が製本物につける表紙に使用する用紙を設定するための「変更」キー１３１０が押下されたことを検出すると、用紙選択画面１２０３を表示する。用紙選択画面１２０３には、ユーザが製本物につける表紙に使用する所望の用紙を選択できるようにカセット３５０〜３５３やデッキ３５４に格納されている各々の用紙のサイズと名称がリスト形式で上から順に表示されている。用紙選択画面１２０３に示すように、製本物につける表紙に使用する用紙として選択されている状態にあることを示すためにカセット３５１に該当する行１３１１が反転表示されている。
【００９９】
用紙選択画面１２０３で、ＣＰＵ４０２が「ＯＫ」キー１３１２が押下されたことを検出すると、表紙の印刷箇所を設定する画面１２０４に戻る。ここで、画面１２０４に示すように「プリントする」キー１３１３〜１３１６の全てが反転表示されている場合、製本物につける表紙の全ての面に印刷することを示している。
【０１００】
画面１２０４で、ＣＰＵ４０２が「ＯＫ」キー１３１７が押下されたことを検出すると、製本のポータル画面１２０５に戻り、「表紙をつける」キー１３１８が反転表示され、製本物に表紙をつける設定が完了したことを示している。ＣＰＵ４０２は、図６に示す画面を介して受け付けた設定をＤＲＡＭ４０６に保持しておく。
【０１０１】
ポータル画面１２０５に示す画面が表示された状態で、スタートキー５０６が押されると、ＣＰＵ４０２は、ＤＲＡＭ４０６に格納された設定に従って、スキャナ部による原稿の読取動作及びプリンタ部による印刷動作及びシート処理制御を開始する。なお、ポータル画面１２０５のＯＫキーが押され、正しく設定がされていると、コピー標準画面が表示される。そのコピー標準画面が表示された状態でスタートキー５０６が押されても、ＣＰＵ４０２は、ＤＲＡＭ４０６に格納された設定に従って、スキャナ部による原稿の読取動作及びプリンタ部による印刷動作及びシート処理制御を開始する。
【０１０２】
以上のような操作を行うことで、ユーザは、表紙に使われる用紙の種類として、所望の用紙の種類を選択することができる。また、ユーザは、表紙の所望の面に、画像を印刷するよう指示することができる。それによって、ユーザは、所望する表紙が付加された左開きの製本物を手に入れることができる。
【０１０３】
なお、表紙に画像を印刷する場合、スキャナ３０１によって読み取られた画像を、印刷するよう指示された面にも割り付けて印刷される。例えば、オモテ表紙のオモテに印刷するよう指示されている場合、ＣＰＵ４０２は、１枚目の原稿の画像をオモテ表紙のオモテに割り付ける。一方、オモテ表紙のウラに印刷するよう指示されている場合、ＣＰＵ４０２は、１枚目の原稿の画像をオモテ表紙のウラに割り付ける。一方、ウラ表紙のウラに印刷するよう指示されている場合、ＣＰＵ４０２は、最後の原稿の画像をウラ表紙のウラに割り付ける。このように、表紙に画像を割り付けた後、ＣＰＵ４０２は、他の原稿の画像を製本用のページ順にレイアウトし、本文用の用紙に、レイアウトされた画像を印刷するよう制御する。
【０１０４】
このようにいろいろな設定を行うことができるが、図１に示すシート処理装置３１５の構造上、設定された内容を満足する製本物を出力できないことがある。
【０１０５】
具体的に、シート処理装置３１５は、製本物の本文も表紙もスイッチバックして搬送パス４１内部でストッパによって用紙を蓄積する。
【０１０６】
表紙として使用される用紙は、本文の後に、画像が印刷されて本文に付加される。表紙として使用される用紙が両面印刷用搬送路３３０を通すことができる両面印刷可能な用紙であれば、画像形成装置は、本文と同様に、所望の面に画像を印刷することができる。
【０１０７】
一方、表紙として使用される用紙が両面印刷用搬送路３３０を通すことができない両面印刷不可能な用紙である場合、用紙を反転しなければ、最後に画像が形成された面が、製本物の内側にくることになる。ユーザが製本物の表紙の内側に画像を印刷したい場合には良いが、ユーザが製本物の表紙の外側に画像を印刷したい場合には、所望の製本物とは異なるものになる。
【０１０８】
用紙の中には、両面印刷用搬送路３３０を通すことができなくても、反転部３４８によって反転することができる種類の用紙がある。そのような用紙は、ユーザによって画像を印刷するよう設定された面によって、必要に応じて用紙を反転することによってユーザが所望する位置に画像が印刷された表紙を付加するよう制御する。ただし、両面印刷用搬送路３３０を通せないため、用紙の表面と裏面の両方に画像を印刷することができないという制限がある。
【０１０９】
また、両面印刷用搬送路３３０も、反転部３４８も通せない用紙もある。そのような用紙は、製本物の内側にしか画像を印刷できない。
【０１１０】
本実施形態に係る画像形成装置は、このような制限を考慮し、表紙に用いる用紙の種類の設定と、用紙に対する画像の印刷面の設定に基づいて、以下に説明する制御を行う。具体的には、画像形成装置は、実行できない設定が行われた場合に警告を表示し、実行できる設定が行われた場合には、設定された内容に基づいて製本物を生成する。
【０１１１】
図７に示す用紙管理テーブルに基づき、実行できない設定が行われたまま印刷が開始されないよう制御する手順について、図８〜図１５の画面を参照しながら説明する。図７の用紙管理テーブルは、ＨＤ４４０に記憶されている。
【０１１２】
用紙管理テーブルは、プリンタ３１３で両面印刷可能かどうか或いはプリンタ３１３で反転排紙可能かどうか或いは製本物につける表紙として使用可能かどうかを用紙種類毎に定義するものである。用紙管理テーブルには、印刷に使用可能な用紙の種類として、普通紙、厚紙１、厚紙２、厚紙３、厚紙４という複数の種類が管理されている。それぞれ、用紙の坪量が異なり、坪量によって両面印刷の可否や反転排紙の可否や表紙としての使用可否が決まるため、用紙の種類ごとに、両面印刷の可否や反転排紙の可否や表紙としての使用可否が管理されている。なお、管理される用紙の種類は、これらの種類に限られず、再生紙やコート紙などの他の種類の用紙が管理されていてもよい。また、用紙の種類は、ユーザによって操作部５０１を介して登録できるようになっていてもよい。用紙の種類が登録される場合、ＣＰＵ４０２は、坪量や、両面印刷の可否や反転排紙の可否や表紙としての使用可否も合わせて登録させるようにすればよい。
【０１１３】
図７に示すように、普通紙、厚紙１、厚紙２に該当する用紙は、いずれも両面印刷や反転排紙が可能であり、製本物につける表紙としても使用可能である。一方、厚紙３、厚紙４に該当する用紙は、両面に画像を印刷できないため、製本物につける表紙の両面に画像を印刷できないように制御する必要がある。但し、厚紙３に該当する用紙は、反転排紙が可能であるため、製本物につける表紙の内側か外側のいずれか一方に画像を印刷できるように制御する必要がある。一方、厚紙４に該当する用紙は、反転排紙ができないため、積載トレイ３２８に排紙する場合は製本物につける表紙の内側に画像を印刷できないように制御する必要がある。また、厚紙４に該当する用紙は、反転排紙ができないため、中綴じ処理トレイ３３１に排紙する場合は製本物につける表紙の外側に画像を印刷できないように制御する必要がある。
【０１１４】
図８は、ユーザが左開きの製本物を中綴じ処理トレイ３３１に排紙する設定を行う場合に表示部５０５に表示される製本設定画面の画面遷移の一例を示す模式図である。
【０１１５】
ポータル画面１８０１は、表示部５０５に表示される製本のポータル画面である。ポータル画面１８０１には、「折り＋中とじ」キー１９０２が反転表示され、製本物を中綴じ処理トレイ３３１に排紙することを示している。
【０１１６】
ポータル画面１８０１で、ＣＰＵ４０２が「表紙をつける」キー１９０３が押下されたことを検出すると、表紙の印刷箇所を設定する設定画面１８０２が表示される。
【０１１７】
設定画面１８０２で、ＣＰＵ４０２が「変更」キー１９０４が押下されたことを検出すると、用紙選択画面１８０３が表示される。用紙選択画面１８０３では、製本物につける表紙に使用する用紙として選択されている状態にあることを示すためにＡ３で名称「厚紙３（２２１〜２５６ｇ／ｍ２）」の用紙が格納されたカセット３５３に該当する行１９０５が反転表示されている。
【０１１８】
用紙選択画面１８０３で、ＣＰＵ４０２が「ＯＫ」キー１９０６が押下されたことを検出すると、表紙の印刷箇所を設定する設定画面１８０４が表示される。ここで、設定画面１８０４に示すように「プリントする」キー１９０７〜１９１０の全てが選択され、反転表示された場合、「厚紙３（２２１〜２５６ｇ／ｍ２）」を使用した表紙の両面に印刷するよう設定されていることを示す。しかしながら、「厚紙３（２２１〜２５６ｇ／ｍ２）」は、図７に示す用紙管理テーブルに示すように、両面印刷を実行することができない。
【０１１９】
設定画面１８０４で、ＣＰＵ４０２が「ＯＫ」キー１９１１が押下されたことを検出すると、製本のポータル画面１８０５が表示され、「表紙をつける」キー１９１２が反転表示され、製本物に表紙をつける設定が完了したことを示している。ＣＰＵ４０２は、図８に示す画面を介して受け付けた設定をＤＲＡＭ４０６に保持しておく。
【０１２０】
ポータル画面１８０５が表示された状態でスタートキー５０６が押されると、ＣＰＵ４０２は、ＤＲＡＭ４０６に格納された設定と図７に示す用紙管理テーブルに基づき、厚紙３を表紙に使用した製本を設定できない旨の警告表示１８０６を行う。
【０１２１】
また、ポータル画面１８０５で、ＣＰＵ４０２が「ＯＫ」キー１９１３が押下されたことを検出すると、ＤＲＡＭ４０６に格納された設定と図７に示す用紙管理テーブルに基づき、警告表示１８０６を行うように制御してもよい。
【０１２２】
なお、図１２に示すように、表紙の両面に印刷する設定が先に行われている場合、ＣＰＵ４０２は、用紙選択画面２６０１で厚紙３の用紙が格納されたカセット３５３に該当する行２７０１をユーザが選択できないよう網掛け表示させてもよい。なお、厚紙４も両面印刷できないので、図１２に示す画面で、ＣＰＵ４０２は、厚紙４の用紙が格納されたデッキ３５４もユーザが選択できないように網掛けして表示させればよい。
【０１２３】
図９は、ユーザが左開きの製本物を中綴じ処理トレイ３３１に排紙する設定を行う場合に表示部５０５に表示される製本設定画面の画面遷移の一例を示す模式図である。
【０１２４】
ポータル画面２００１は、表示部５０５に表示される製本のポータル画面である。ポータル画面２００１では、「折り＋中とじ」キー２１０２が反転表示されている。これは、製本物を中綴じ処理トレイ３３１に排紙することを示している。
【０１２５】
ポータル画面２００１で、ＣＰＵ４０２が「表紙をつける」キー２１０３が押下されたことを検出すると、表紙の印刷箇所を設定する設定画面２００２が表示される。
【０１２６】
設定画面２００２で、ＣＰＵ４０２が「変更」キー２１０４が押下されたことを検出すると、用紙選択画面２００３が表示される。用紙選択画面２００３では、製本物につける表紙に使用する用紙として選択されている状態にあることを示すためにＡ３で名称「厚紙４（２５７〜３００ｇ／ｍ２）」の用紙が格納されたデッキ３５４に該当する行２１０５が反転表示されている。
【０１２７】
用紙選択画面２００３で、ＣＰＵ４０２が「ＯＫ」キー２１０６が押下されたことを検出すると、表紙の印刷箇所を設定する設定画面２００４が表示される。ここで、設定画面２００４に示すように、「プリントする」キー２１０７、２１０８が反転表示されている場合、「厚紙４（２５７〜３００ｇ／ｍ２）」を使用した表紙の外側に印刷することを示している。しかしながら、厚紙４は、図７に示す用紙管理テーブルに示すように、両面印刷を実行することも反転を実行することもできないため、表紙の外側に画像が印刷された表紙を本文に付加することができない。
【０１２８】
設定画面２００４で、ＣＰＵ４０２が「ＯＫ」キー２１０９が押下されたことを検出すると、製本のポータル画面２００５が表示され、「表紙をつける」キー２１１０が反転表示される。これは、製本物に表紙をつける設定が完了したことを示している。ＣＰＵ４０２は、図９に示す画面を介して受け付けた設定をＤＲＡＭ４０６に保持しておく。
【０１２９】
ポータル画面２００５が表示された状態でスタートキー５０６が押されると、ＣＰＵ４０２は、ＤＲＡＭ４０６に格納された設定と図７に示す用紙管理テーブルに基づき、厚紙４を表紙に使用した製本を設定できない旨の警告表示２００６を行う。
【０１３０】
また、ポータル画面２００５で、ＣＰＵ４０２が「ＯＫ」キー２１１１が押下されたことを検出すると、ＤＲＡＭ４０６に格納された設定と図７に示す用紙管理テーブルに基づき、警告表示２００６を行うように制御してもよい。
【０１３１】
なお、図１３に示すように、表紙の外側に印刷する設定が先に行われている場合、用紙選択画面２８０１において厚紙４の用紙が格納されたデッキ３５４に該当する行２９０１をユーザが選択できないように網掛けして表示させればよい。なお、厚紙３は反転できるので、図１３に示す画面で、ＣＰＵ４０２は、厚紙３の用紙が格納されたカセット３５３をユーザが選択できるように表示させればよい。
【０１３２】
図８と図９は、ユーザが左開きの製本物を中綴じ処理トレイ３３１に排紙する設定を行う場合の制御例を説明したが、図１０と図１１では、ユーザが左開きの製本物を積載トレイ３２８に排紙する設定を行う場合の制御例を説明する。
【０１３３】
図１０は、ユーザが左開きの製本物を積載トレイ３２８に排紙する設定を行う場合に表示部５０５に表示される製本設定画面の画面遷移の一例を示す模式図である。
【０１３４】
ポータル画面１４０１は、表示部５０５に表示される製本の設定を行うための画面である。１４０１には、「折らない」キー１５０２が反転表示され、製本物を積載トレイ３２８に排紙することを示している。
【０１３５】
ポータル画面１４０１で、ＣＰＵ４０２が「表紙をつける」キー１５０３が押下されたことを検出すると、表紙の印刷箇所を設定する設定画面１４０２を表示する。
【０１３６】
設定画面１４０２で、ＣＰＵ４０２が「変更」キー１５０４が押下されたことを検出すると、用紙選択画面１４０３が表示される。用紙選択画面１４０３に示すように、製本物につける表紙に使用する用紙として選択されている状態にあることを示すためにＡ３で名称「厚紙３（２２１〜２５６ｇ／ｍ２）」の用紙が格納されたカセット３５３に該当する行１５０５が反転表示されている。
【０１３７】
用紙選択画面１４０３で、ＣＰＵ４０２が「ＯＫ」キー１５０６が押下されたことを検出すると、表紙の印刷箇所を設定する設定画面１４０４に戻る。ここで、設定画面１４０４に示すように、「プリントする」キー１５０７〜１５１０が反転表示されている場合、「厚紙３（２２１〜２５６ｇ／ｍ２）」を使用した表紙の両面に印刷することを示している。しかしながら、「厚紙３（２２１〜２５６ｇ／ｍ２）」は、図７に示す用紙管理テーブルに示すように、両面印刷を実行することができない。
【０１３８】
設定画面１４０４で、ＣＰＵ４０２が「ＯＫ」キー１５１１が押下されたことを検出すると、製本のポータル画面１４０５に戻り、「表紙をつける」キー１５１２が反転表示され、製本物に表紙をつける設定が完了したことを示している。ＣＰＵ４０２は、図１０に示す画面を介して受け付けた設定をＤＲＡＭ４０６に保持しておく。
【０１３９】
ポータル画面１４０５が表示された状態でスタートキー５０６が押されると、ＣＰＵ４０２は、ＤＲＡＭ４０６に格納された設定と図７に示す用紙管理テーブルに基づき、厚紙３を表紙に使用した製本を設定できない旨の警告表示１４０６を行う。
【０１４０】
また、ポータル画面１４０５で、ＣＰＵ４０２が「ＯＫ」キー１５１３が押下されたことを検出すると、ＤＲＡＭ４０６に格納された設定と図７に示す用紙管理テーブルに基づき、警告表示１４０６を行うように制御してもよい。
【０１４１】
なお、図１４に示すように、表紙の両面に印刷する設定が先に行われている場合、用紙選択画面２２０１において厚紙３の用紙が格納されたカセット３５３に該当する行２３０１をユーザが選択できないように網掛けして表示させればよい。なお、厚紙４も両面印刷できないので、図１４に示す画面で、ＣＰＵ４０２は、厚紙４の用紙が格納されたデッキ３５４もユーザが選択できないように網掛けして表示させればよい。
【０１４２】
図１１は、ユーザが左開きの製本物を積載トレイ３２８に排紙する設定を行う場合に表示部５０５に表示される製本設定画面の画面遷移の一例を示す模式図である。
【０１４３】
ポータル画面１６０１は、表示部５０５に表示される製本の設定を行うための画面である。ポータル画面１６０１には、「折らない」キー１７０２が反転表示され、製本物を積載トレイ３２８に排紙することを示している。
【０１４４】
ポータル画面１６０１で、ＣＰＵ４０２が「表紙をつける」キー１７０３が押下されたことを検出すると、表紙の印刷箇所を設定する設定画面１６０２を表示する。
【０１４５】
設定画面１６０２で、ＣＰＵ４０２が「変更」キー１７０４が押下されたことを検出すると、用紙選択画面１６０３を表示する。用紙選択画面１６０３に示すように、製本物につける表紙に使用する用紙として選択されている状態にあることを示すためにＡ３で名称「厚紙４（２５７〜３００ｇ／ｍ２）」の用紙が格納されたデッキ３５４に該当する行１７０５が反転表示されている。
【０１４６】
用紙選択画面１６０３で、ＣＰＵ４０２が「ＯＫ」キー１７０６が押下されたことを検出すると、表紙の印刷箇所を設定する設定画面１６０４に戻る。ここで、設定画面１６０４に示すように、「プリントする」キー１７０７、１７０８が反転表示されている場合、「厚紙４（２５７〜３００ｇ／ｍ２）」を使用した表紙の内側に印刷することを示している。しかしながら、厚紙４は、図７に示す用紙管理テーブルに示すように、両面印刷を実行することも反転を実行することもできないため、表紙の内側に画像が印刷された表紙を本文に付加することができない。
【０１４７】
設定画面１６０４で、ＣＰＵ４０２が「ＯＫ」キー１７０９が押下されたことを検出すると、製本のポータル画面１６０５に戻り、「表紙をつける」キー１７１０が反転表示され、製本物に表紙をつける設定が完了したことを示している。ＣＰＵ４０２は、図１１に示す画面を介して受け付けた設定をＤＲＡＭ４０６に保持しておく。
【０１４８】
ポータル画面１６０５に示す画面が表示された状態でスタートキー５０６が押されると、ＣＰＵ４０２は、ＤＲＡＭ４０６に格納された設定と図７に示す用紙管理テーブルに基づき、厚紙４を表紙に使用した製本を設定できない旨の警告表示１６０６を行う。
【０１４９】
また、ポータル画面１６０５で、ＣＰＵ４０２が「ＯＫ」キー１７１１が押下されたことを検出すると、ＤＲＡＭ４０６に格納された設定と図７に示す用紙管理テーブルに基づき、警告表示１６０６を行うように制御してもよい。
【０１５０】
なお、図１５に示すように、表紙の内側に印刷する設定が先に行われている場合、用紙選択画面２４０１において厚紙４の用紙が格納されたデッキ３５４に該当する行２５０１をユーザが選択できないように網掛け表示されるように制御してもよい。なお、厚紙３は反転できるので、図１５に示す画面で、ＣＰＵ４０２は、厚紙３の用紙が格納されたカセット３５３をユーザが選択できるように表示させればよい。
【０１５１】
次に、製本レイアウト処理を実行して積載トレイ３２８に排紙する場合と中綴じ製本処理を実行して中綴じ処理トレイ３３１に排紙する場合の画像レイアウトと印刷結果について、図１６〜図１９を用いて具体的に説明する。
【０１５２】
図１６（ａ）は、左開きの製本物に印刷しない表紙をつける製本レイアウト処理を実行して積載トレイ３２８に排紙する場合の原稿画像の各ページのレイアウト方法を説明するための図である。積載トレイ３２８に排紙する場合、原稿の各ページの画像３２３１は、ＤＲＡＭ４０６上で、レイアウト後の画像３２３２のようにレイアウトされて保持される。そして、レイアウトが完了したら、製本物の内側に該当する用紙の画像から製本物の外側に該当する用紙の画像の順に印刷される。レイアウト後の画像の配置が３２３２のようになる場合、ＣＰＵ４０２は、１枚目の表（本文）、１枚目の裏（本文）、２枚目の表（本文）、２枚目の裏（本文）、３枚目の表（本文）、３枚目の裏（本文）という順で印刷するよう制御する。そして、最後に、４枚目（表紙）が給紙される。そして、印刷された用紙を搬送ローラ３１〜３５により、積載トレイ３２８に排紙させる。そして、排紙された印刷結果は図１６（ａ）に示すようになる。
【０１５３】
図１６（ｂ）は、左開きの製本物に両面に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３２４１は、ＤＲＡＭ４０６上で、レイアウト後の画像３２４２のようにレイアウトされて保持される。そして、レイアウトが完了したら、製本物の内側に該当する用紙の画像から製本物の表紙に該当する用紙の画像の順に印刷される。レイアウト後の画像の配置が３２４２のようになる場合、ＣＰＵ４０２は、次の順で印刷するよう制御する。すなわち、ＣＰＵ４０２は、１枚目の表（本文）、１枚目の裏（本文）、２枚目の表（本文）、２枚目の裏（本文）、３枚目の表（本文）、３枚目の裏（本文）、４枚目の表（表紙）、４枚目の裏（表紙）という順で印刷するよう制御する。そして、印刷された用紙を搬送ローラ３１〜３５により、積載トレイ３２８に排紙させる。そして、排紙された印刷結果は図１６（ｂ）に示すようになる。
【０１５４】
図１７（ａ）は、左開きの製本物に内側に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３２５１は、ＤＲＡＭ４０６上で、レイアウト後の画像３２５２のようにレイアウトされて保持される。そして、レイアウトが完了したら、製本物の内側に該当する用紙の画像から製本物の表紙に該当する用紙の画像の順に印刷される。レイアウト後の画像の配置が３２５２のようになる場合、ＣＰＵ４０２は、次の順で印刷するよう制御する。すなわち、ＣＰＵ４０２は、１枚目の表（本文）、１枚目の裏（本文）、２枚目の表（本文）、２枚目の裏（本文）、３枚目の表（本文）、３枚目の裏（本文）という順で印刷するよう制御する。そして、最後に、ＣＰＵ４０２は、４枚目（表紙）を印刷する。ここで、図７の用紙管理テーブルに示す厚紙３のような両面印刷できない用紙を製本物の表紙として使用する場合、用紙は、図１に示すフラッパ３２６の下の搬送経路を経由してスイッチバックされる。それによって、用紙は印刷面が下向きとなるように排紙口３２５へと反転排紙される。そして、印刷された用紙は、搬送ローラ３１〜３５により、積載トレイ３２８に排紙される。そして、排紙された印刷結果は図１７（ａ）に示すようになる。すなわち、図７の用紙管理テーブルに示す厚紙３のような両面印刷できない用紙を積載トレイ３２８に排紙する場合、表紙のウラと裏表紙のオモテに印刷可能となる。
【０１５５】
図１７（ｂ）は、左開きの製本物に外側に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３２６１は、ＤＲＡＭ４０６上で、レイアウト後の画像３２６２に示されるようにレイアウトして保持される。そして、レイアウトが完了したら、製本物の内側に該当する用紙の画像から製本物の表紙に該当する用紙の画像の順に印刷される。レイアウト後の画像の配置が３２６２のようになる場合、ＣＰＵ４０２は、次の順で印刷するよう制御する。すなわち、ＣＰＵ４０２は、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目（表紙）を印刷するよう制御する。ここで、図７の用紙管理テーブルに示す厚紙３や厚紙４のような両面印刷できない用紙を製本物の表紙として使用する場合、用紙は、図１に示すフラッパ３２６の上の搬送経路を経由して排紙される。それによって、用紙は印刷面が上向きとなるように排紙口３２５へと排紙される。そして、印刷された用紙は、搬送ローラ３１〜３５により、積載トレイ３２８に排紙される。そして、排紙された印刷結果は図１７（ｂ）に示すようになる。すなわち、図７の用紙管理テーブルに示す厚紙３や厚紙４のような両面印刷できない用紙を積載トレイ３２８に排紙する場合、表紙のオモテと裏表紙のウラに印刷可能となる。
【０１５６】
図１８（ａ）は、左開きの製本物に印刷しない表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３２７１は、ＤＲＡＭ４０６上で、３２７２に示されるようにレイアウトして保持される。そして、レイアウトが完了したら、製本物の内側に該当する用紙の画像から製本物の外側に該当する用紙の画像の順に印刷される。レイアウト後の画像の配置が３２７２のようになる場合、ＣＰＵ４０２は、次の順で印刷するよう制御する。すなわち、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目（表紙）を給紙する。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図１８（ａ）に示すようになる。
【０１５７】
図１８（ｂ）は、左開きの製本物に両面に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、３２８１に示される原稿の各ページの画像は、ＤＲＡＭ４０６上で、３２８２に示されるようにレイアウトして保持される。そして、レイアウトが完了したら、製本物の内側に該当する用紙の画像から製本物の表紙に該当する用紙の画像の順に印刷される。レイアウト後の画像の配置が３２８２のようになる場合、ＣＰＵ４０２は、次のように画像を印刷するよう制御する。すなわち、ＣＰＵ４０２は、１枚目の表（本文）、１枚目の裏（本文）、２枚目の表（本文）、２枚目の裏（本文）、３枚目の表（本文）、３枚目の裏（本文）、４枚目の表（表紙）、４枚目の裏（表紙）という順で印刷するよう制御する。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図１８（ｂ）に示すようになる。
【０１５８】
図１９（ａ）は、左開きの製本物に内側に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３２９１は、ＤＲＡＭ４０６上で、３２９２に示されるようにレイアウトして保持される。そして、レイアウトが完了したら、製本物の内側に該当する用紙の画像から製本物の表紙に該当する用紙の画像の順に印刷される。レイアウト後の画像の配置が３２９２のようになる場合、ＣＰＵ４０２は、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目（表紙）を印刷する。ここで、図７の用紙管理テーブルに示す厚紙３や厚紙４のような両面印刷できない用紙を製本物の表紙として使用する場合、図１に示すフラッパ３２６の上の搬送経路を経由して排紙することで用紙は印刷面が上向きとなるように排紙口３２５へと排紙される。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図１９（ａ）に示すようになる。すなわち、図７の用紙管理テーブルに示す厚紙３や厚紙４のような両面印刷できない用紙を中綴じ処理トレイ３３１に排紙する場合、表紙のウラと裏表紙のオモテに印刷可能となる。
【０１５９】
図１９（ｂ）は、左開きの製本物に外側に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３３０１は、ＤＲＡＭ４０６上で、３３０２に示されるようにレイアウトして保持される。そして、レイアウトが完了したら、製本物の内側に該当する用紙の画像から製本物の表紙に該当する用紙の画像の順に印刷される。レイアウト後の画像の配置が３３０２のようになる場合、ＣＰＵ４０２は、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目（表紙）を印刷する。ここで、図７の用紙管理テーブルに示す厚紙３のような両面印刷できない用紙を製本物の表紙として使用する場合、図１に示すフラッパ３２６の下の搬送経路を経由してスイッチバックする。それによって、用紙は印刷面が下向きとなるように排紙口３２５へと反転排紙される。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図１９（ｂ）に示すようになる。すなわち、図７の用紙管理テーブルに示す厚紙３のような両面印刷できない用紙を中綴じ処理トレイ３３１に排紙する場合、表紙のオモテと裏表紙のウラに印刷可能となる。
【０１６０】
左開きの製本物に内側に印刷した表紙をつける場合、図１７（ａ）、図１９（ａ）に示すように、積載トレイ３２８に排紙された製本物と中綴じ処理トレイ３３１に排紙された製本物は綴じ処理と折り処理の有無のみが差分となる。また、左開きの製本物に外側に印刷した表紙をつける場合、図１７（ｂ）、図１９（ｂ）に示すように、積載トレイ３２８に排紙された製本物と中綴じ処理トレイ３３１に排紙された製本物は綴じ処理と折り処理の有無のみが差分となる。
【０１６１】
次に、図２０〜図２２を用いて、第１の実施形態におけるＣＰＵ４０２による制御手順を説明する。ＣＰＵ４０２は、ＲＯＭ４０４に格納されたプログラムを読み出して実行することによって、図２０〜図２２のフローチャートに示す各ステップを実行する。
【０１６２】
まず、ＣＰＵ４０２は、スタートキー５０６によってジョブの実行要求を受け付けると、図２０のフローチャートに示す処理を開始する。例えば、スキャナ部によって読み取られた原稿の画像をプリンタ部にて印刷するコピージョブの実行要求を受け付けた場合、ＣＰＵ４０２は、スキャナ３０１によって全ての原稿の画像を読み取った後に当該フローチャートの処理を行う。また、外部のＰＣから受け付けた画像をプリンタ部にて印刷するプリントジョブの実行要求を受け付けた場合、ＣＰＵ４０２は、ＰＣから全ての画像を受信した後に当該フローチャートの処理を行う。
【０１６３】
まず、Ｓ５００１において、ＣＰＵ４０２は、製本が指定されているか否かを判断する。製本が指定されていると判断した場合には、ＣＰＵ４０２は、Ｓ５００３に処理を進め、製本が指定されていないと判断した場合には、Ｓ５００２に処理を進める。なお、Ｓ５００１の前に、ＣＰＵ４０２が、画像形成装置にシート処理装置３１５が接続されているかいないか判定してもよい。その場合、画像形成装置にシート処理装置３１５が接続されていると判定されたら、ＣＰＵ４０２は、Ｓ５００１に処理を進め、画像形成装置にシート処理装置３１５が接続されていないと判定されたら、ＣＰＵ４０２は、Ｓ５００２に処理を進めればよい。
【０１６４】
Ｓ５００２に処理を進めた場合、ＣＰＵ４０２は、ユーザから受け付けた設定に基づいて通常の印刷処理を実行し、処理を終える。例えば、シート処理装置３１５による後処理を実行せず、画像形成装置による印刷を行って用紙を排紙する。
【０１６５】
一方、Ｓ５００１からＳ５００３に処理を進めた場合、ＣＰＵ４０２は、製本物の本文に使用するよう指定されている用紙が両面印刷可能な用紙か否かを判断する。製本物の本文に使用するよう指定されている用紙が両面印刷できない用紙であると判断した場合、ＣＰＵ４０２は、Ｓ５００４に処理を進める。一方、製本物の本文に使用するよう指定されている用紙が両面印刷可能な用紙であると判断した場合、ＣＰＵ４０２は、Ｓ５００５に処理を進める。
【０１６６】
Ｓ５００４に処理を進めた場合、ＣＰＵ４０２は、ジョブを強制的に終了する処理を行い、図２３に示すエラーメッセージを表示部５０５に表示させ、処理を終える。
【０１６７】
一方、Ｓ５００５に処理を進めた場合、ＣＰＵ４０２は、折らない製本レイアウト処理が指定されているか否かを判断する。
【０１６８】
製本の形態には、上述したように３つの形態がある。すなわち、
形態１：折り＋中とじ（中綴じ製本処理）
形態２：折りのみ（中折り製本処理）
形態３：折らない（製本レイアウト処理）
がある。折らない製本レイアウト処理とは、形態３であり、上述したポータル画面の「折らない」キーによって指定される。一方、形態１と形態２は、折りを含む製本レイアウト処理である。形態１は、「折り＋中とじ」キーによって指定される。また、形態２は、「折りのみ」キーによって指定される。
【０１６９】
折らない製本レイアウト処理が指定されていると判断した場合、ＣＰＵ４０２は、Ｓ５００６に処理を進める。一方、折りを含む製本レイアウト処理が指定されていると判断した場合、ＣＰＵ４０２は、Ｓ５００７に処理を進める。
【０１７０】
Ｓ５００６に処理を進めた場合、ＣＰＵ４０２は、表紙に印刷する指定がされているか否かを判断する。表紙に印刷する指定がされていると判断した場合、ＣＰＵ４０２は、Ｓ５００９に処理を進め、表紙に印刷する指定がされていないと判断した場合、ＣＰＵ４０２は、Ｓ５００８に処理を進める。
【０１７１】
Ｓ５００８に処理を進めた場合、ＣＰＵ４０２は、図２１に示す積載トレイに排紙する製本印刷処理を実行し、処理を終える。
【０１７２】
一方、Ｓ５００９に処理を進めた場合、ＣＰＵ４０２は、表紙の両面に印刷する指定がされているか否かを判断する。表紙の両面に印刷する指定がされていると判断した場合には、ＣＰＵ４０２は、Ｓ５０１０に処理を進め、表紙の両面に印刷する指定がされていないと判断した場合には、Ｓ５０１１に処理を進める。
【０１７３】
Ｓ５０１０に処理を進めた場合、ＣＰＵ４０２は、製本物につける表紙が両面印刷可能な用紙か否かを、表紙に使用するよう指定された用紙の種類と、図７に示す用紙管理テーブルに基づいて判断する。両面印刷できない用紙であると判断した場合には、ＣＰＵ４０２は、Ｓ５０１２に処理を進め、両面印刷可能な用紙であると判断した場合には、Ｓ５００８に処理を進める。
【０１７４】
Ｓ５０１２に処理を進めた場合、ＣＰＵ４０２は、ジョブを強制的に終了する処理を行い、図２４に示すエラーメッセージを表示部５０５に表示させ、処理を終える。
【０１７５】
一方、Ｓ５００９からＳ５０１１に処理を進めた場合、ＣＰＵ４０２は、表紙の内側に印刷する指定がされているか否かを判断する。表紙の内側に印刷する指定がされていると判断した場合、ＣＰＵ４０２はＳ５０１３に処理を進め、表紙の内側に印刷する指定がされていないと判断した場合、ＣＰＵ４０２はＳ５０１４に処理を進める。
【０１７６】
Ｓ５０１４に処理を進めた場合、ＣＰＵ４０２は、図２１に示す積載トレイに排紙する製本印刷処理を実行し、処理を終える。
【０１７７】
一方、Ｓ５０１３に処理を進めた場合、ＣＰＵ４０２は、製本物につける表紙が反転排紙可能な用紙か否かを判断する。反転排紙できない用紙であると判断した場合には、ＣＰＵ４０２はＳ５０１２に処理を進め、反転排紙可能な用紙であると判断した場合には、Ｓ５０１４に処理を進める。
【０１７８】
一方、Ｓ５００７に処理を進めた場合、ＣＰＵ４０２は、表紙に印刷する指定がされているか否かを判断する。表紙に印刷する指定がされていると判断した場合には、ＣＰＵ４０２は、Ｓ５０１６に処理を進め、表紙に印刷する指定がされていないと判断した場合には、Ｓ５０１５に処理を進める。
【０１７９】
Ｓ５０１５に処理を進めた場合、ＣＰＵ４０２は、図２２に示す中綴じ処理トレイに排紙する製本印刷処理を実行し、処理を終える。
【０１８０】
一方、Ｓ５０１６に処理を進めた場合、ＣＰＵ４０２は、表紙の両面に印刷する指定がされているか否かを判断する。表紙の両面に印刷する指定がされていると判断した場合には、ＣＰＵ４０２は、Ｓ５０１７に処理を進め、表紙の両面に印刷する指定がされていないと判断した場合には、Ｓ５０１８に処理を進める。
【０１８１】
Ｓ５０１７に処理を進めた場合、ＣＰＵ４０２は、製本物につける表紙が両面印刷可能な用紙か否かを判断する。両面印刷できない用紙であると判断した場合には、ＣＰＵ４０２は、Ｓ５０１９に処理を進め、両面印刷可能な用紙であると判断した場合には、Ｓ５０１５に処理を進める。
【０１８２】
Ｓ５０１９に処理を進めた場合、ＣＰＵ４０２は、ジョブを強制的に終了する処理を行い、図２４に示すエラーメッセージを表示部５０５に表示させ、処理を終える。
【０１８３】
一方、Ｓ５０１８に処理を進めた場合、ＣＰＵ４０２は、表紙の外側に印刷する指定がされているか否かを判断する。表紙の外側に印刷する指定がされていると判断した場合には、ＣＰＵ４０２は、Ｓ５０２０に処理を進め、表紙の外側に印刷する指定がされていないと判断した場合には、Ｓ５０２１に処理を進める。
【０１８４】
Ｓ５０２１に処理を進めた場合、ＣＰＵ４０２は、図２２に示す中綴じ処理トレイに排紙する製本印刷処理を実行し、処理を終える。
【０１８５】
一方、Ｓ５０２０に処理を進めた場合、ＣＰＵ４０２は、製本物につける表紙が反転排紙可能な用紙か否かを判断する。反転排紙できない用紙であると判断した場合には、ＣＰＵ４０２はＳ５０１９に処理を進め、反転排紙可能な用紙であると判断した場合にはＳ５０２１に処理を進める。
【０１８６】
図２１は、図２０のＳ５００８やＳ５０１４の積載トレイに排紙する製本印刷処理手順を示すフローチャートである。
【０１８７】
まず、Ｓ６００１において、ＣＰＵ４０２は、表紙に印刷する指定がされているか否かを判断する。表紙に印刷する指定がされていると判断した場合には、ＣＰＵ４０２は、Ｓ６００３に処理を進め、表紙に印刷する指定がされていないと判断した場合には、Ｓ６００２に処理を進める。
【０１８８】
Ｓ６００２に処理を進めた場合、ＣＰＵ４０２は、各ページのレイアウトを図１６（ａ）に示すような方法で行い、Ｓ６００４に処理を進める。
【０１８９】
Ｓ６００４において、ＣＰＵ４０２は、本文に該当する用紙に対して画像形成処理を行い、Ｓ６００５に処理を進める。
【０１９０】
Ｓ６００５において、ＣＰＵ４０２は、綴じ処理及び折り処理を実行せずに本文に該当する用紙を積載トレイ３２８に排紙するよう制御し、Ｓ６００６に処理を進める。
【０１９１】
Ｓ６００６において、ＣＰＵ４０２は、表紙をつける指定がされているか否かを判断する。表紙をつける指定がされていると判断した場合には、ＣＰＵ４０２は、Ｓ６００７に処理を進め、表紙をつける指定がされていないと判断した場合には、処理を終える。
【０１９２】
Ｓ６００７に処理を進めた場合、ＣＰＵ４０２は、綴じ処理及び折り処理を実行せずに表紙に該当する用紙を積載トレイ３２８に排紙するよう制御し、処理を終える。
【０１９３】
一方、Ｓ６００２からＳ６００３に処理を進めた場合、ＣＰＵ４０２は、表紙の両面に印刷する指定がされているか否かを判断する。表紙の両面に印刷する指定がされていると判断した場合、ＣＰＵ４０２はＳ６００８に処理を進め、表紙の両面に印刷する指定がされていないと判断した場合、Ｓ６００９に処理を進める。
【０１９４】
Ｓ６００８に処理を進めた場合、ＣＰＵ４０２は、各ページのレイアウトを図１６（ｂ）に示すような方法で行い、Ｓ６０１０に処理を進める。
【０１９５】
Ｓ６０１０において、ＣＰＵ４０２は、本文に該当する用紙に対して画像形成処理を行い、Ｓ６０１１に処理を進める。
【０１９６】
Ｓ６０１１において、ＣＰＵ４０２は、綴じ処理及び折り処理を実行せずに本文に該当する用紙を積載トレイ３２８に排紙するよう制御する。
【０１９７】
Ｓ６０１２において、ＣＰＵ４０２は、表紙に該当する用紙に対して画像形成処理を行い、Ｓ６０１３に処理を進める。
【０１９８】
Ｓ６０１３において、ＣＰＵ４０２は、綴じ処理及び折り処理を実行せずに表紙に該当する用紙を積載トレイ３２８に排紙するよう制御し、処理を終える。
【０１９９】
一方、Ｓ６００３からＳ６００９に処理を進めた場合、ＣＰＵ４０２は、表紙の内側に印刷する指定がされているか否かを判断する。表紙の内側に印刷する指定がされていると判断した場合、ＣＰＵ４０２はＳ６０１４に処理を進め、表紙の内側に印刷する指定がされていないと判断した場合、ＣＰＵ４０２はＳ６０１５に処理を進める。
【０２００】
Ｓ６０１４に処理を進めた場合、ＣＰＵ４０２は、各ページのレイアウトを図１７（ａ）に示すような方法で行い、Ｓ６０１６に処理を進める。
【０２０１】
Ｓ６０１６において、ＣＰＵ４０２は、本文に該当する用紙に対して画像形成処理を行い、Ｓ６０１７に処理を進める。
【０２０２】
Ｓ６０１７において、ＣＰＵ４０２は、綴じ処理及び折り処理を実行せずに本文に該当する用紙を積載トレイ３２８に排紙するよう制御する。
【０２０３】
Ｓ６０１８において、ＣＰＵ４０２は、表紙に該当する用紙に対して画像形成処理を行い、Ｓ６０１９に処理を進める。
【０２０４】
Ｓ６０１９において、ＣＰＵ４０２は、図１に示すフラッパ３２６の下の搬送経路を経由してスイッチバックすることで表紙に該当する用紙を印刷面が下向きとなるように排紙口３２５へと反転排紙し、Ｓ６０２０に処理を進める。
【０２０５】
Ｓ６０２０において、ＣＰＵ４０２は、綴じ処理及び折り処理を実行せずに表紙に該当する用紙を積載トレイ３２８に排紙するよう制御し、処理を終える。
【０２０６】
一方、Ｓ６０１５に処理を進めた場合、ＣＰＵ４０２は、各ページのレイアウトを図１７（ｂ）に示すような方法で行い、Ｓ６０２１に処理を進める。
【０２０７】
Ｓ６０２１において、ＣＰＵ４０２は、本文に該当する用紙に対して画像形成処理を行い、Ｓ６０２２に処理を進める。
【０２０８】
Ｓ６０２２において、ＣＰＵ４０２は、綴じ処理及び折り処理を実行せずに本文に該当する用紙を積載トレイ３２８に排紙するよう制御する。
【０２０９】
Ｓ６０２３において、ＣＰＵ４０２は、表紙に該当する用紙に対して画像形成処理を行い、Ｓ６０２４に処理を進める。
【０２１０】
Ｓ６０２４において、ＣＰＵ４０２は、図１に示すフラッパ３２６の上の搬送経路を経由して排紙することで表紙に該当する用紙を印刷面が上向きとなるように排紙口３２５へと排紙した後、積載トレイ３２８に排紙し、処理を終える。
【０２１１】
図２２は、図２０のＳ５０１５やＳ５０２１の中綴じ処理トレイに排紙する製本印刷処理手順を示すフローチャートである。
【０２１２】
まず、Ｓ７００１において、ＣＰＵ４０２は、中綴じが指定されているか否かを判断する。中綴じが指定されていると判断した場合には、ＣＰＵ４０２は、Ｓ７００２に処理を進め、中綴じが指定されていないと判断した場合には、Ｓ７００５に処理を進める。
【０２１３】
Ｓ７００２に処理を進めた場合、ＣＰＵ４０２は、１部あたりの出力枚数を算出し、Ｓ７００３に処理を進める。図１８（ａ）に示すように、２ページの画像を１ページにレイアウトする場合、１部あたりの出力枚数は、（総ページ数＋３）／４の計算式により算出される。
【０２１４】
Ｓ７００３において、ＣＰＵ４０２は、１部あたりの出力枚数がシート処理装置３１５の中綴じ可能枚数を超えているか否かを判断する。なお、シート処理装置３１５の中綴じ可能枚数は、シート処理装置３１５の能力情報としてＲＯＭ４０４に格納されている。中綴じ可能枚数を超えていると判断した場合には、ＣＰＵ４０２は、Ｓ７００４に処理を進め、中綴じ可能枚数を超えていないと判断した場合には、Ｓ７００５に処理を進める。
【０２１５】
Ｓ７００４に処理を進めた場合、ＣＰＵ４０２は、ジョブを強制的に終了する処理を行い、図２５に示すエラーポップアップを表示部５０５に表示し、処理を終える。ここでは、Ｓ７００３で、中綴じ可能枚数を超えていると判断した場合に、ＣＰＵ４０２は、Ｓ７００４に処理を進め、図２５に示すエラーポップアップを表示部５０５に表示する例を説明した。しかしながら、本発明はこれに限られない。Ｓ７００３で、中綴じ可能枚数を超えていると判断した場合に、ＣＰＵ４０２は、図２１のＳ６００１に処理を進め、積載トレイに排紙する製本印刷処理手順を実行してもよい。
【０２１６】
一方、Ｓ７００５に処理を進めた場合、ＣＰＵ４０２は、表紙に印刷する指定がされているか否かを判断する。表紙に印刷する指定がされていると判断した場合には、ＣＰＵ４０２は、Ｓ７００７に処理を進め、表紙に印刷する指定がされていないと判断した場合には、Ｓ７００６に処理を進める。
【０２１７】
Ｓ７００６に処理を進めた場合、ＣＰＵ４０２は、各ページのレイアウトを図１８（ａ）に示すような方法で行い、Ｓ７００８に処理を進める。
【０２１８】
Ｓ７００８において、ＣＰＵ４０２は、本文に該当する用紙に対して画像形成処理を行い、Ｓ７００９に処理を進める。
【０２１９】
Ｓ７００９において、ＣＰＵ４０２は、本文に該当する用紙を搬送ローラ３７、３８によりスイッチバックさせた後、搬送パス４１内部に順に蓄積するよう制御する。
【０２２０】
Ｓ７０１０において、ＣＰＵ４０２は、表紙をつける指定がされているか否かを判断する。表紙をつける指定がされていると判断した場合には、ＣＰＵ４０２は、Ｓ７０１１に処理を進め、表紙をつける指定がされていないと判断した場合には、処理を終える。
【０２２１】
Ｓ７０１１において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０２２２】
一方、Ｓ７００７に処理を進めた場合、ＣＰＵ４０２は、表紙の両面に印刷する指定がされているか否かを判断する。表紙の両面に印刷する指定がされていると判断した場合には、ＣＰＵ４０２は、Ｓ７０１２に処理を進め、表紙の両面に印刷する指定がされていないと判断した場合には、Ｓ７０１３に処理を進める。
【０２２３】
Ｓ７０１２に処理を進めた場合、ＣＰＵ４０２は、各ページのレイアウトを図１８（ｂ）に示すような方法で行い、Ｓ７０１４に処理を進める。
【０２２４】
Ｓ７０１４において、ＣＰＵ４０２は、本文に該当する用紙に対して画像形成処理を行い、Ｓ７０１５に処理を進める。
【０２２５】
Ｓ７０１５において、ＣＰＵ４０２は、本文に該当する用紙を搬送ローラ３７、３８によりスイッチバックさせた後、搬送パス４１内部に順に蓄積するよう制御する。
【０２２６】
Ｓ７０１６において、ＣＰＵ４０２は、表紙に該当する用紙に対して画像形成処理を行い、Ｓ７０１７に処理を進める。
【０２２７】
Ｓ７０１７において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０２２８】
一方、Ｓ７０１３に処理を進めた場合、ＣＰＵ４０２は、表紙の内側に印刷する指定がされているか否かを判断する。表紙の内側に印刷する指定がされていると判断した場合には、ＣＰＵ４０２は、Ｓ７０１８に処理を進め、表紙の内側に印刷する指定がされていないと判断した場合には、Ｓ７０１９に処理を進める。
【０２２９】
Ｓ７０１８に処理を進めた場合、ＣＰＵ４０２は、各ページのレイアウトを図１９（ａ）に示すような方法で行い、Ｓ７０２０に処理を進める。
【０２３０】
Ｓ７０２０において、ＣＰＵ４０２は、本文に該当する用紙に対して画像形成処理を行い、Ｓ７０２１に処理を進める。
【０２３１】
Ｓ７０２１において、ＣＰＵ４０２は、本文に該当する用紙を搬送ローラ３７、３８によりスイッチバックさせた後、搬送パス４１内部に順に蓄積するよう制御する。
【０２３２】
Ｓ７０２２において、ＣＰＵ４０２は、表紙に該当する用紙に対して画像形成処理を行い、Ｓ７０２３に処理を進める。
【０２３３】
Ｓ７０２３において、ＣＰＵ４０２は、図１に示すフラッパ３２６の上の搬送経路を経由して排紙することで表紙に該当する用紙を印刷面が上向きとなるように排紙口３２５へと排紙する。その後、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０２３４】
一方、Ｓ７０１９に処理を進めた場合、ＣＰＵ４０２は、各ページのレイアウトを図１９（ｂ）に示すような方法で行い、Ｓ７０２４に処理を進める。
【０２３５】
Ｓ７０２４において、ＣＰＵ４０２は、本文に該当する用紙に対して画像形成処理を行い、Ｓ７０２５に処理を進める。
【０２３６】
Ｓ７０２５において、ＣＰＵ４０２は、本文に該当する用紙を搬送ローラ３７、３８によりスイッチバックさせた後、搬送パス４１内部に順に蓄積するよう制御する。
【０２３７】
Ｓ７０２６において、ＣＰＵ４０２は、表紙に該当する用紙に対して画像形成処理を行い、Ｓ７０２７に処理を進める。
【０２３８】
Ｓ７０２７において、ＣＰＵ４０２は、図１に示すフラッパ３２６の下の搬送経路を経由してスイッチバックすることで表紙に該当する用紙を印刷面が下向きとなるように排紙口３２５へと反転排紙し、Ｓ７０２８に処理を進める。
【０２３９】
Ｓ７０２８において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０２４０】
以上のように、両面印刷できない用紙を製本物の表紙として使用する場合、印刷面が下向きになるようにスイッチバック機構を搭載したシート処理装置へ排紙する。それによって、表紙の外側に画像が印刷された製本物を中綴じ処理トレイで得ることができる。
【０２４１】
また、反転排紙できない用紙を製本物の表紙として中綴じ処理トレイに排紙する場合、表紙の外側に印刷できないように制御することで、表紙の内側に画像が印刷されて用紙やトナーなどの消耗品を無駄に消費してしまう問題を未然に防ぐことができる。
【０２４２】
〔第２の実施形態〕
続いて、本発明の第２の実施形態による印刷装置の一例について説明する。なお、第２の実施形態に係るシート処理装置の構成は図２に示す構成と同様であり、画像形成装置が有するコントローラのハードウェア構成も図３に示す構成と同様である。また、操作部５０１の構成は図４に示す構成と同様である。また、ユーザが製本物で使用する用紙を指示する手順は図５に示す画面遷移と同様である。さらに、中綴じ製本処理や中折り製本処理や製本レイアウト処理が実行された製本物に、表紙をつけるよう指示する手順は図６に示す画面遷移と同様である。
【０２４３】
図２６は、本発明の第２の実施形態を示す印刷装置の一例である画像形成装置とシート処理装置を含む印刷システムの構成を示す図である。
【０２４４】
図２６において、画像形成装置の約上半分は、正面視コ字状に形成され、そのコ字状の空間内にシート搬送装置である中継ユニット５６が装備されている。中継ユニット５６は、内部に搬送路５４が形成されている。画像形成装置は、シート処理装置３１５と中継ユニット５６の内部にある搬送路５４でつながっており、シート処理装置３１５にシートを搬送可能である。なお、シート処理装置３１５は、第１の実施形態と同様に構成されているので、図２６では、第１の実施形態と実質的に共通する構成には図１と共通の符号を付して詳細な説明を省略する。
【０２４５】
また、画像形成装置は、Ｙｅｌｌｏｗ、Ｍａｇｅｎｔａ、Ｃｙａｎ、Ｂｌａｃｋの各色のトナー画像をそれぞれ担持する像担持体としての感光ドラム６を、中間転写体としての中間転写ベルト７の走行方向に４つ並べた、所謂タンデム型である。このような画像形成装置は、スキャナ３０１とＡＤＦ３０２とプリントエンジン３５５とを有する。なお、スキャナ３０１は、第１の実施形態と同様に構成されているので、図２６では、第１の実施形態と実質的に共通する構成には図１と共通の符号を付して詳細な説明を省略する。
【０２４６】
プリンタ３５５によって行われる印刷動作について説明する。
【０２４７】
プリンタ３５５は、各色のプロセスカートリッジ３と、各感光ドラム６にレーザ光を照射する露光ユニット２、中間転写ベルト７、１次転写手段としての１次転写ローラ５、２次転写手段としての２次転写ローラ８、定着器５５などを有する。各プロセスカートリッジ３は、それぞれが感光ドラム６と、感光ドラム６の周囲に配置される不図示の帯電器、現像器、クリーナとを有する。中間転写ベルト７は、複数の張架ローラにより張架されて、各プロセスカートリッジ３に隣接して配置され、各感光ドラム６と接触する。このような中間転写ベルト７は、不図示のモータに接続された複数の張架ローラの何れかのローラ（駆動ローラ）が回転駆動されることで、図２６の矢印方向に走行する。中間転写ベルト７を挟んで各感光ドラム６と対向する位置には、１次転写ローラ５が配置されている。また、中間転写ベルト７の走行方向に関し、各プロセスカートリッジ３の下流には、２次転写ローラ８が中間転写ベルト７と接触するように配置され、２次転写ローラ８と中間転写ベルト７とで２次転写部Ｔ２を形成している。露光ユニット２は、各プロセスカートリッジ３の中間転写ベルト７とは反対側に配置されており、スキャナ３０１により読み取った情報、或いは、外部から送られた情報に基づいて、各感光ドラム６にレーザ光を照射する。また、本実施形態の場合、各プロセスカートリッジ３の現像器にそれぞれ各色のトナーを補給するためのトナーボトル１２を有する。定着器５５は、２次転写部Ｔ２の下流に配置され、トナー画像を担持した記録材を加熱、加圧して、トナー画像を記録材に定着させる。また、プリンタ３５５は、用紙を収納している複数のカセット３５６を有し、カセット３５６から用紙をピックアップして、２次転写部Ｔ２、定着器５５に用紙を搬送し、定着後の用紙を中継ユニット５６に排出する。また、プリンタ３５５は、両面印刷を行うために用紙を反転して搬送する反転搬送機構も有する。
【０２４８】
このように構成される画像形成装置の画像形成プロセスは以下の通りである。
【０２４９】
まず、各色の感光ドラム６の表面を帯電器により帯電し、露光ユニット２により露光して、感光ドラム６に潜像を形成する。それぞれの潜像は現像器により現像され、感光ドラム６上にトナー画像が形成される。感光ドラム６に形成されたトナー画像は、感光ドラム６と中間転写ベルト７とが当接する１次転写部Ｔ１に到来する。そして、１次転写部Ｔ１において、１次転写ローラ５に１次転写バイアスが印加されることで、感光ドラム６上のトナー画像が、中間転写ベルト７へ順次転写され、中間転写ベルト７上にフルカラーのトナー画像が形成される。このトナー画像は、中間転写ベルト７が走行することで、２次転写部Ｔ２に搬送される。
【０２５０】
一方、カセット３５６から供給された用紙は、２次転写部Ｔ２に向けて搬送される。即ち、用紙は、カセット３５６からピックアップローラ１０により１枚毎に送り出され、レジストローラ９で中間転写ベルト７上のトナー画像とタイミングを合わせた後、２次転写部Ｔ２に搬送される。そして、２次転写部Ｔ２において、２次転写ローラ８に２次転写バイアスが印加されることで、中間転写ベルト７上のトナー画像が用紙に２次転写される。その後、トナー画像が転写された用紙は定着器５５に搬送され、そこで熱及び圧力を受けることによりトナーが溶融混色して、トナー画像が用紙にプリント画像として定着される。画像が定着された用紙は、定着器５５の下流に設けられた排出ローラ１８によって、用紙の印刷面が下向きの状態で中継ユニット５６に排出される。そして、中継ユニット５６に排出された用紙は、搬送ローラ対５８を回転させ、シート処理装置３１５への排紙口５９へと排紙される。
【０２５１】
次に、両面印刷を行う場合には、定着後の用紙を印刷面が下向きの状態で中継ユニット５６まで排出し、その内部構造を利用してスイッチバック搬送した後、反転搬送ローラ１７により両面印刷用の搬送路５７まで搬送し、再度、２次転写部Ｔ２に供給する。そして、２次転写部Ｔ２で用紙に画像が転写され、画像が転写された用紙は、定着器５５を通って、排出ローラ１８によって中継ユニット５６に排出される。その後、中継ユニット５６に排出された用紙は、搬送ローラ対５８を回転させ、シート処理装置３１５への排紙口５９へと排紙される。
【０２５２】
図５及び図６において、いろいろな設定を行うことができるが、図２６に示すシート処理装置３１５の構造上、設定された内容を満足する製本物を出力できないことがある。
【０２５３】
具体的に、シート処理装置３１５は、製本物の本文も表紙もスイッチバックして搬送パス４１内部でストッパによって用紙を蓄積する。
【０２５４】
表紙として使用される用紙は、本文の後に、画像が印刷されて本文に付加される。表紙として使用される用紙が両面印刷用搬送路５７を通すことができる両面印刷可能な用紙であれば、画像形成装置は、本文と同様に、所望の面に画像を印刷することができる。
【０２５５】
一方、表紙として使用される用紙が両面印刷用搬送路５７を通すことができない両面印刷不可能な用紙である場合、最後に画像が形成された面が、製本物の外側にくることになる。すなわち、そのような用紙は、製本物の外側にしか画像を印刷できない。ユーザが製本物の表紙の外側に画像を印刷したい場合には良いが、ユーザが製本物の表紙の内側に画像を印刷したい場合には、所望の製本物とは異なるものになる。また、両面印刷用搬送路５７を通すことができないため、用紙の表面と裏面の両方に画像を印刷することができないという制限もある。
【０２５６】
本実施形態に係る画像形成装置は、このような制限を考慮し、表紙に用いる用紙の種類の設定と、用紙に対する画像の印刷面の設定に基づいて、以下に説明する制御を行う。具体的には、画像形成装置は、実行できない設定が行われた場合に警告を表示し、実行できる設定が行われた場合には、設定された内容に基づいて製本物を生成する。
【０２５７】
図２７に示す用紙管理テーブルに基づき、実行できない設定が行われたまま印刷が開始されないよう制御する手順について、図８、図１０、図１２、図１４の画面を参照しながら説明する。図２７の用紙管理テーブルは、ＨＤ４４０に記憶されている。
【０２５８】
用紙管理テーブルは、プリンタ３５５で両面印刷可能かどうか或いは製本物につける表紙として使用可能かどうかを用紙種類毎に定義するものである。用紙管理テーブルには、印刷に使用可能な用紙の種類として、普通紙、厚紙１、厚紙２、厚紙３、厚紙４という複数の種類が管理されている。それぞれ、用紙の坪量が異なり、坪量によって両面印刷の可否や表紙としての使用可否が決まるため、用紙の種類ごとに、両面印刷の可否や表紙としての使用可否が管理されている。なお、管理される用紙の種類は、これらの種類に限られず、再生紙やコート紙などの他の種類の用紙が管理されていてもよい。また、用紙の種類は、ユーザによって操作部５０１を介して登録できるようになっていてもよい。用紙の種類が登録される場合、ＣＰＵ４０２は、坪量や、両面印刷の可否や表紙としての使用可否も合わせて登録させるようにすればよい。
【０２５９】
図２７に示すように、普通紙、厚紙１、厚紙２に該当する用紙は、いずれも両面印刷が可能であり、製本物につける表紙としても使用可能である。一方、厚紙３、厚紙４に該当する用紙は、両面に画像を印刷できないため、製本物につける表紙の両面に画像を印刷できないように制御する必要がある。また、厚紙３、厚紙４に該当する用紙は、積載トレイ３２８に排紙する場合は製本物につける表紙の外側に画像を印刷できないように制御する必要がある。また、厚紙３、厚紙４に該当する用紙は、中綴じ処理トレイ３３１に排紙する場合は製本物につける表紙の内側に画像を印刷できないように制御する必要がある。
【０２６０】
図８は、ユーザが左開きの製本物を中綴じ処理トレイ３３１に排紙する設定を行う場合に表示部５０５に表示される製本設定画面の画面遷移の一例を示す模式図である。
【０２６１】
ポータル画面１８０１は、表示部５０５に表示される製本のポータル画面である。ポータル画面１８０１には、「折り＋中とじ」キー１９０２が反転表示され、製本物を中綴じ処理トレイ３３１に排紙することを示している。
【０２６２】
ポータル画面１８０１で、ＣＰＵ４０２が「表紙をつける」キー１９０３が押下されたことを検出すると、表紙の印刷箇所を設定する設定画面１８０２が表示される。
【０２６３】
設定画面１８０２で、ＣＰＵ４０２が「変更」キー１９０４が押下されたことを検出すると、用紙選択画面１８０３が表示される。用紙選択画面１８０３では、製本物につける表紙に使用する用紙として選択されている状態にあることを示すためにＡ３で名称「厚紙３（２２１〜２５６ｇ／ｍ２）」の用紙が格納されたカセット３５６に該当する行１９０５が反転表示されている。
【０２６４】
用紙選択画面１８０３で、ＣＰＵ４０２が「ＯＫ」キー１９０６が押下されたことを検出すると、表紙の印刷箇所を設定する設定画面１８０４が表示される。ここで、設定画面１８０４に示すように「プリントする」キー１９０７〜１９１０の全てが選択され、反転表示された場合、「厚紙３（２２１〜２５６ｇ／ｍ２）」を使用した表紙の両面に印刷するよう設定されていることを示す。しかしながら、「厚紙３（２２１〜２５６ｇ／ｍ２）」は、図２７に示す用紙管理テーブルに示すように、両面印刷を実行することができない。
【０２６５】
設定画面１８０４で、ＣＰＵ４０２が「ＯＫ」キー１９１１が押下されたことを検出すると、製本のポータル画面１８０５が表示され、「表紙をつける」キー１９１２が反転表示され、製本物に表紙をつける設定が完了したことを示している。ＣＰＵ４０２は、図８に示す画面を介して受け付けた設定をＤＲＡＭ４０６に保持しておく。
【０２６６】
ポータル画面１８０５が表示された状態でスタートキー５０６が押されると、ＣＰＵ４０２は、ＤＲＡＭ４０６に格納された設定と図２７に示す用紙管理テーブルに基づき、厚紙３を表紙に使用した製本を設定できない旨の警告表示１８０６を行う。
【０２６７】
また、ポータル画面１８０５で、ＣＰＵ４０２が「ＯＫ」キー１９１３が押下されたことを検出すると、ＤＲＡＭ４０６に格納された設定と図２７に示す用紙管理テーブルに基づき、警告表示１８０６を行うように制御してもよい。
【０２６８】
なお、図１２に示すように、表紙の両面に印刷する設定が先に行われている場合、ＣＰＵ４０２は、用紙選択画面２６０１で厚紙３の用紙が格納されたカセット３５６に該当する行２７０１をユーザが選択できないよう網掛け表示させてもよい。なお、厚紙４も両面印刷できないので、図１２に示す画面で、ＣＰＵ４０２は、厚紙４の用紙が格納されたカセット３５６もユーザが選択できないように網掛けして表示させればよい。
【０２６９】
一方、図８において、設定画面１８０４に示すように、「プリントする」キー１９０８、１９０９が反転表示されている場合、「厚紙３（２２１〜２５６ｇ／ｍ２）」を使用した表紙の内側に印刷することを示している。しかしながら、厚紙３は、図２７に示す用紙管理テーブルに示すように、両面印刷を実行することができないため、表紙の内側に画像が印刷された表紙を本文に付加することができない。
【０２７０】
設定画面１８０４で、ＣＰＵ４０２が「ＯＫ」キー１９１１が押下されたことを検出すると、製本のポータル画面１８０５が表示され、「表紙をつける」キー１９１２が反転表示され、製本物に表紙をつける設定が完了したことを示している。ＣＰＵ４０２は、図８に示す画面を介して受け付けた設定をＤＲＡＭ４０６に保持しておく。
【０２７１】
ポータル画面１８０５が表示された状態でスタートキー５０６が押されると、ＣＰＵ４０２は、ＤＲＡＭ４０６に格納された設定と図２７に示す用紙管理テーブルに基づき、厚紙３を表紙に使用した製本を設定できない旨の警告表示１８０６を行う。
【０２７２】
また、ポータル画面１８０５で、ＣＰＵ４０２が「ＯＫ」キー１９１３が押下されたことを検出すると、ＤＲＡＭ４０６に格納された設定と図２７に示す用紙管理テーブルに基づき、警告表示１８０６を行うように制御してもよい。
【０２７３】
なお、図１２に示すように、表紙の内側に印刷する設定が先に行われている場合、用紙選択画面２６０１において厚紙３の用紙が格納されたカセット３５６に該当する行２７０１をユーザが選択できないように網掛けして表示させればよい。なお、厚紙４も両面印刷できないので、図１２に示す画面で、ＣＰＵ４０２は、厚紙４の用紙が格納されたカセット３５６もユーザが選択できないように網掛けして表示させればよい。
【０２７４】
図８は、ユーザが左開きの製本物を中綴じ処理トレイ３３１に排紙する設定を行う場合の制御例を説明したが、図１０では、ユーザが左開きの製本物を積載トレイ３２８に排紙する設定を行う場合の制御例を説明する。
【０２７５】
図１０は、ユーザが左開きの製本物を積載トレイ３２８に排紙する設定を行う場合に表示部５０５に表示される製本設定画面の画面遷移の一例を示す模式図である。
【０２７６】
ポータル画面１４０１は、表示部５０５に表示される製本の設定を行うための画面である。１４０１には、「折らない」キー１５０２が反転表示され、製本物を積載トレイ３２８に排紙することを示している。
【０２７７】
ポータル画面１４０１で、ＣＰＵ４０２が「表紙をつける」キー１５０３が押下されたことを検出すると、表紙の印刷箇所を設定する設定画面１４０２を表示する。
【０２７８】
設定画面１４０２で、ＣＰＵ４０２が「変更」キー１５０４が押下されたことを検出すると、用紙選択画面１４０３が表示される。用紙選択画面１４０３に示すように、製本物につける表紙に使用する用紙として選択されている状態にあることを示すためにＡ３で名称「厚紙３（２２１〜２５６ｇ／ｍ２）」の用紙が格納されたカセット３５６に該当する行１５０５が反転表示されている。
【０２７９】
用紙選択画面１４０３で、ＣＰＵ４０２が「ＯＫ」キー１５０６が押下されたことを検出すると、表紙の印刷箇所を設定する設定画面１４０４に戻る。ここで、設定画面１４０４に示すように、「プリントする」キー１５０７〜１５１０が反転表示されている場合、「厚紙３（２２１〜２５６ｇ／ｍ２）」を使用した表紙の両面に印刷することを示している。しかしながら、「厚紙３（２２１〜２５６ｇ／ｍ２）」は、図２７に示す用紙管理テーブルに示すように、両面印刷を実行することができない。
【０２８０】
設定画面１４０４で、ＣＰＵ４０２が「ＯＫ」キー１５１１が押下されたことを検出すると、製本のポータル画面１４０５に戻り、「表紙をつける」キー１５１２が反転表示され、製本物に表紙をつける設定が完了したことを示している。ＣＰＵ４０２は、図１０に示す画面を介して受け付けた設定をＤＲＡＭ４０６に保持しておく。
【０２８１】
ポータル画面１４０５が表示された状態でスタートキー５０６が押されると、ＣＰＵ４０２は、ＤＲＡＭ４０６に格納された設定と図２７に示す用紙管理テーブルに基づき、厚紙３を表紙に使用した製本を設定できない旨の警告表示１４０６を行う。
【０２８２】
また、ポータル画面１４０５で、ＣＰＵ４０２が「ＯＫ」キー１５１３が押下されたことを検出すると、ＤＲＡＭ４０６に格納された設定と図２７に示す用紙管理テーブルに基づき、警告表示１４０６を行うように制御してもよい。
【０２８３】
なお、図１４に示すように、表紙の両面に印刷する設定が先に行われている場合、用紙選択画面２２０１において厚紙３の用紙が格納されたカセット３５６に該当する行２３０１をユーザが選択できないように網掛けして表示させればよい。なお、厚紙４も両面印刷できないので、図１４に示す画面で、ＣＰＵ４０２は、厚紙４の用紙が格納されたカセット３５６もユーザが選択できないように網掛けして表示させればよい。
【０２８４】
一方、図１０において、設定画面１４０４に示すように、「プリントする」キー１５０７、１５１０が反転表示されている場合、「厚紙３（２２１〜２５６ｇ／ｍ２）」を使用した表紙の外側に印刷することを示している。しかしながら、厚紙３は、図２７に示す用紙管理テーブルに示すように、両面印刷を実行することができないため、表紙の外側に画像が印刷された表紙を本文に付加することができない。
【０２８５】
設定画面１４０４で、ＣＰＵ４０２が「ＯＫ」キー１５１１が押下されたことを検出すると、製本のポータル画面１４０５に戻り、「表紙をつける」キー１５１２が反転表示され、製本物に表紙をつける設定が完了したことを示している。ＣＰＵ４０２は、図１０に示す画面を介して受け付けた設定をＤＲＡＭ４０６に保持しておく。
【０２８６】
ポータル画面１４０５が表示された状態でスタートキー５０６が押されると、ＣＰＵ４０２は、ＤＲＡＭ４０６に格納された設定と図２７に示す用紙管理テーブルに基づき、厚紙３を表紙に使用した製本を設定できない旨の警告表示１４０６を行う。
【０２８７】
また、ポータル画面１４０５で、ＣＰＵ４０２が「ＯＫ」キー１５１３が押下されたことを検出すると、ＤＲＡＭ４０６に格納された設定と図２７に示す用紙管理テーブルに基づき、警告表示１４０６を行うように制御してもよい。
【０２８８】
なお、図１４に示すように、表紙の外側に印刷する設定が先に行われている場合、用紙選択画面２２０１において厚紙３の用紙が格納されたカセット３５６に該当する行２３０１をユーザが選択できないように網掛け表示されるように制御してもよい。なお、厚紙４も両面印刷できないので、図１４に示す画面で、ＣＰＵ４０２は、厚紙４の用紙が格納されたカセット３５６もユーザが選択できないように網掛けして表示させればよい。
【０２８９】
次に、製本レイアウト処理を実行して積載トレイ３２８に排紙する場合と中綴じ製本処理を実行して中綴じ処理トレイ３３１に排紙する場合の画像レイアウトと印刷結果について、図２８〜図３１を用いて具体的に説明する。
【０２９０】
図２８（ａ）は、左開きの製本物に印刷しない表紙をつける製本レイアウト処理を実行して積載トレイ３２８に排紙する場合の原稿画像の各ページのレイアウト方法を説明するための図である。積載トレイ３２８に排紙する場合、原稿の各ページの画像３３１１は、ＤＲＡＭ４０６上で、レイアウト後の画像３３１２のようにレイアウトされて保持される。そして、レイアウトが完了したら、製本物の内側に該当する用紙の画像から製本物の外側に該当する用紙の画像の順に印刷される。レイアウト後の画像の配置が３３１２のようになる場合、ＣＰＵ４０２は、１枚目の裏（本文）、１枚目の表（本文）、２枚目の裏（本文）、２枚目の表（本文）、３枚目の裏（本文）、３枚目の表（本文）という順で印刷する。そして、最後に、ＣＰＵ４０２は、４枚目（表紙）を給紙する。そして、印刷された用紙を搬送ローラ３１〜３５により、積載トレイ３２８に排紙させる。そして、排紙された印刷結果は図２８（ａ）に示すようになる。
【０２９１】
図２８（ｂ）は、左開きの製本物に両面に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３３２１は、ＤＲＡＭ４０６上で、レイアウト後の画像３３２２のようにレイアウトされて保持される。そして、レイアウトが完了したら、製本物の内側に該当する用紙の画像から製本物の表紙に該当する用紙の画像の順に印刷される。レイアウト後の画像の配置が３３２２のようになる場合、ＣＰＵ４０２は、次の順で印刷するよう制御する。すなわち、ＣＰＵ４０２は、１枚目の裏（本文）、１枚目の表（本文）、２枚目の裏（本文）、２枚目の表（本文）、３枚目の裏（本文）、３枚目の表（本文）、４枚目の裏（表紙）、４枚目の表（表紙）という順で印刷するよう制御する。そして、印刷された用紙を搬送ローラ３１〜３５により、積載トレイ３２８に排紙させる。そして、排紙された印刷結果は図２８（ｂ）に示すようになる。
【０２９２】
図２９（ａ）は、左開きの製本物に内側に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３３３１は、ＤＲＡＭ４０６上で、レイアウト後の画像３３３２のようにレイアウトされて保持される。そして、レイアウトが完了したら、製本物の内側に該当する用紙の画像から製本物の表紙に該当する用紙の画像の順に印刷される。レイアウト後の画像の配置が３３３２のようになる場合、ＣＰＵ４０２は、次の順で印刷するよう制御する。すなわち、ＣＰＵ４０２は、１枚目の裏（本文）、１枚目の表（本文）、２枚目の裏（本文）、２枚目の表（本文）、３枚目の裏（本文）、３枚目の表（本文）という順で印刷するよう制御する。そして、最後に、ＣＰＵ４０２は、４枚目（表紙）を印刷する。ここで、図２７の用紙管理テーブルに示す厚紙３や厚紙４のような両面印刷できない用紙を製本物の表紙として使用する場合、図２６に示す中継ユニット５６の内部にある搬送路５４を経由して、用紙は印刷面が下向きとなるように排紙口５９へと排紙される。そして、印刷された用紙は、搬送ローラ３１〜３５により、積載トレイ３２８に排紙される。そして、排紙された印刷結果は図２９（ａ）に示すようになる。すなわち、図２７の用紙管理テーブルに示す厚紙３や厚紙４のような両面印刷できない用紙を積載トレイ３２８に排紙する場合、表紙のウラと裏表紙のオモテにのみ印刷可能となる。
【０２９３】
図２９（ｂ）は、左開きの製本物に外側に印刷した表紙をつける製本レイアウト処理を実行して積載トレイ３２８に排紙する場合の原稿画像の各ページのレイアウト方法を説明するための図である。積載トレイ３２８に排紙する場合、原稿の各ページの画像３３４１は、ＤＲＡＭ４０６上で、レイアウト後の画像３３４２に示されるようにレイアウトして保持される。そして、レイアウトが完了したら、製本物の内側に該当する用紙の画像から製本物の表紙に該当する用紙の画像の順に印刷される。レイアウト後の画像の配置が３３４２のようになる場合、ＣＰＵ４０２は、次の順で印刷するよう制御する。すなわち、ＣＰＵ４０２は、１枚目の裏（本文）、１枚目の表（本文）、２枚目の裏（本文）、２枚目の表（本文）、３枚目の裏（本文）、３枚目の表（本文）、４枚目の裏（表紙）、４枚目の表（表紙）という順で印刷する。そして、印刷された用紙は、搬送ローラ３１〜３５により、積載トレイ３２８に排紙される。そして、排紙された印刷結果は図２９（ｂ）に示すようになる。
【０２９４】
図３０（ａ）は、左開きの製本物に印刷しない表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３３５１は、ＤＲＡＭ４０６上で、３３５２に示されるようにレイアウトして保持される。そして、レイアウトが完了したら、製本物の内側に該当する用紙の画像から製本物の外側に該当する用紙の画像の順に印刷される。レイアウト後の画像の配置が３３５２のようになる場合、ＣＰＵ４０２は、次の順で印刷するよう制御する。すなわち、１枚目の裏（本文）、１枚目の表（本文）、２枚目の裏（本文）、２枚目の表（本文）、３枚目の裏（本文）、３枚目の表（本文）という順で印刷する。そして、最後に、ＣＰＵ４０２は、４枚目（表紙）を給紙する。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図３０（ａ）に示すようになる。
【０２９５】
図３０（ｂ）は、左開きの製本物に両面に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、３３６１に示される原稿の各ページの画像は、ＤＲＡＭ４０６上で、３３６２に示されるようにレイアウトして保持される。そして、レイアウトが完了したら、製本物の内側に該当する用紙の画像から製本物の表紙に該当する用紙の画像の順に印刷される。レイアウト後の画像の配置が３３６２のようになる場合、ＣＰＵ４０２は、次のように画像を印刷するよう制御する。すなわち、ＣＰＵ４０２は、１枚目の裏（本文）、１枚目の表（本文）、２枚目の裏（本文）、２枚目の表（本文）、３枚目の裏（本文）、３枚目の表（本文）、４枚目の裏（表紙）、４枚目の表（表紙）という順で印刷するよう制御する。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図３０（ｂ）に示すようになる。
【０２９６】
図３１（ａ）は、左開きの製本物に内側に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３３７１は、ＤＲＡＭ４０６上で、３３７２に示されるようにレイアウトして保持される。そして、レイアウトが完了したら、製本物の内側に該当する用紙の画像から製本物の表紙に該当する用紙の画像の順に印刷される。レイアウト後の画像の配置が３３７２のようになる場合、１枚目の裏（本文）、１枚目の表（本文）、２枚目の裏（本文）、２枚目の表（本文）、３枚目の裏（本文）、３枚目の表（本文）、４枚目の裏（表紙）、４枚目の表（表紙）の順番で印刷される。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図３１（ａ）に示すようになる。
【０２９７】
図３１（ｂ）は、左開きの製本物に外側に印刷した表紙をつける中綴じ製本処理を実行して中綴じ処理トレイ３３１に排紙する場合の原稿画像の各ページのレイアウト方法を説明するための図である。中綴じ処理トレイ３３１に排紙する場合、原稿の各ページの画像３３８１は、ＤＲＡＭ４０６上で、３３８２に示されるようにレイアウトして保持される。そして、レイアウトが完了したら、製本物の内側に該当する用紙の画像から製本物の表紙に該当する用紙の画像の順に印刷される。レイアウト後の画像の配置が３３８２のようになる場合、１枚目の裏（本文）、１枚目の表（本文）、２枚目の裏（本文）、２枚目の表（本文）、３枚目の裏（本文）、３枚目の表（本文）という順で画像が印刷される。そして、最後に、４枚目（表紙）の画像が印刷される。ここで、図２７の用紙管理テーブルに示す厚紙３や厚紙４のような両面印刷できない用紙を製本物の表紙として使用する場合、図２６に示す中継ユニット５６の内部にある搬送路５４を経由して、用紙は印刷面が下向きとなるように排紙口５９へと排紙される。そして、印刷された用紙を搬送ローラ３１、３７、３８により用紙の後端が後端検知センサ４８にくるまで搬送させた後、搬送ローラ３７、３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図３１（ｂ）に示すようになる。すなわち、図２７の用紙管理テーブルに示す厚紙３や厚紙４のような両面印刷できない用紙を中綴じ処理トレイ３３１に排紙する場合、表紙のオモテと裏表紙のウラにのみ印刷可能となる。
【０２９８】
左開きの製本物に内側に印刷した表紙をつける場合、図２９（ａ）、図３１（ａ）に示すように、積載トレイ３２８に排紙された製本物と中綴じ処理トレイ３３１に排紙された製本物は綴じ処理と折り処理の有無のみが差分となる。また、左開きの製本物に外側に印刷した表紙をつける場合、図２９（ｂ）、図３１（ｂ）に示すように、積載トレイ３２８に排紙された製本物と中綴じ処理トレイ３３１に排紙された製本物は綴じ処理と折り処理の有無のみが差分となる。
【０２９９】
次に、図３２〜図３４を用いて、第２の実施形態におけるＣＰＵ４０２による制御手順を説明する。ＣＰＵ４０２は、ＲＯＭ４０４に格納されたプログラムを読み出して実行することによって、図３２〜図３４のフローチャートに示す各ステップを実行する。
【０３００】
まず、ＣＰＵ４０２は、スタートキー５０６によってジョブの実行要求を受け付けると、図３２のフローチャートに示す処理を開始する。例えば、スキャナ部によって読み取られた原稿の画像をプリンタ部にて印刷するコピージョブの実行要求を受け付けた場合、ＣＰＵ４０２は、スキャナ３０１によって全ての原稿の画像を読み取った後に当該フローチャートの処理を行う。また、外部のＰＣから受け付けた画像をプリンタ部にて印刷するプリントジョブの実行要求を受け付けた場合、ＣＰＵ４０２は、ＰＣから全ての画像を受信した後に当該フローチャートの処理を行う。
【０３０１】
まず、Ｓ１００１において、ＣＰＵ４０２は、製本が指定されているか否かを判断する。製本が指定されていると判断した場合には、ＣＰＵ４０２は、Ｓ１００３に処理を進め、製本が指定されていないと判断した場合には、Ｓ１００２に処理を進める。なお、Ｓ１００１の前に、ＣＰＵ４０２が、画像形成装置にシート処理装置３１５が接続されているかいないか判定してもよい。その場合、画像形成装置にシート処理装置３１５が接続されていると判定されたら、ＣＰＵ４０２は、Ｓ１００１に処理を進め、画像形成装置にシート処理装置３１５が接続されていないと判定されたら、ＣＰＵ４０２は、Ｓ１００２に処理を進めればよい。
【０３０２】
Ｓ１００２に処理を進めた場合、ＣＰＵ４０２は、ユーザから受け付けた設定に基づいて通常の印刷処理を実行し、処理を終える。例えば、シート処理装置３１５による後処理を実行せず、画像形成装置による印刷を行って用紙を排紙する。
【０３０３】
一方、Ｓ１００１からＳ１００３に処理を進めた場合、ＣＰＵ４０２は、製本物の本文に使用するよう指定されている用紙が両面印刷可能な用紙か否かを判断する。製本物の本文に使用するよう指定されている用紙が両面印刷できない用紙であると判断した場合、ＣＰＵ４０２は、Ｓ１００４に処理を進める。一方、製本物の本文に使用するよう指定されている用紙が両面印刷可能な用紙であると判断した場合、ＣＰＵ４０２は、Ｓ１００５に処理を進める。
【０３０４】
Ｓ１００４に処理を進めた場合、ＣＰＵ４０２は、ジョブを強制的に終了する処理を行い、図２３に示すエラーメッセージを表示部５０５に表示させ、処理を終える。
【０３０５】
一方、Ｓ１００５に処理を進めた場合、ＣＰＵ４０２は、折らない製本レイアウト処理が指定されているか否かを判断する。折らない製本レイアウト処理が指定されていると判断した場合、ＣＰＵ４０２は、Ｓ１００６に処理を進める。一方、折りを含む製本レイアウト処理が指定されていると判断した場合、ＣＰＵ４０２は、Ｓ１００７に処理を進める。
【０３０６】
Ｓ１００６に処理を進めた場合、ＣＰＵ４０２は、表紙に印刷する指定がされているか否かを判断する。表紙に印刷する指定がされていると判断した場合、ＣＰＵ４０２は、Ｓ１００９に処理を進め、表紙に印刷する指定がされていないと判断した場合、ＣＰＵ４０２は、Ｓ１００８に処理を進める。
【０３０７】
Ｓ１００８に処理を進めた場合、ＣＰＵ４０２は、図３３に示す積載トレイに排紙する製本印刷処理を実行し、処理を終える。
【０３０８】
一方、Ｓ１００９に処理を進めた場合、ＣＰＵ４０２は、表紙の両面に印刷する指定がされているか否かを判断する。表紙の両面に印刷する指定がされていると判断した場合には、ＣＰＵ４０２は、Ｓ１０１０に処理を進め、表紙の両面に印刷する指定がされていないと判断した場合には、Ｓ１０１１に処理を進める。
【０３０９】
Ｓ１０１０に処理を進めた場合、ＣＰＵ４０２は、製本物につける表紙が両面印刷可能な用紙か否かを、表紙に使用するよう指定された用紙の種類と、図２７に示す用紙管理テーブルに基づいて判断する。両面印刷可能であるということは、図２６で説明した両面印刷用の搬送路５７を通して、用紙を反転可能ということである。一方、両面印刷できないということは、図２６で説明した両面印刷用の搬送路５７を通して、用紙を反転できないということである。両面印刷できない用紙であると判断した場合には、ＣＰＵ４０２は、Ｓ１０１２に処理を進め、両面印刷可能な用紙であると判断した場合には、Ｓ１００８に処理を進める。
【０３１０】
Ｓ１０１２に処理を進めた場合、ＣＰＵ４０２は、ジョブを強制的に終了する処理を行い、図２４に示すエラーメッセージを表示部５０５に表示させ、処理を終える。
【０３１１】
一方、Ｓ１００９からＳ１０１１に処理を進めた場合、ＣＰＵ４０２は、表紙の外側に印刷する指定がされているか否かを判断する。表紙の外側に印刷する指定がされていると判断した場合、ＣＰＵ４０２はＳ１０１３に処理を進め、表紙の外側に印刷する指定がされていないと判断した場合、ＣＰＵ４０２はＳ１０１４に処理を進める。
【０３１２】
Ｓ１０１４に処理を進めた場合、ＣＰＵ４０２は、図３３に示す積載トレイに排紙する製本印刷処理を実行し、処理を終える。
【０３１３】
一方、Ｓ１０１３に処理を進めた場合、ＣＰＵ４０２は、製本物につける表紙が両面印刷可能な用紙か否かを判断する。両面印刷できない用紙であると判断した場合には、ＣＰＵ４０２はＳ１０１２に処理を進め、両面印刷可能な用紙であると判断した場合には、Ｓ１０１４に処理を進める。
【０３１４】
一方、Ｓ１００７に処理を進めた場合、ＣＰＵ４０２は、表紙に印刷する指定がされているか否かを判断する。表紙に印刷する指定がされていると判断した場合には、ＣＰＵ４０２は、Ｓ１０１６に処理を進め、表紙に印刷する指定がされていないと判断した場合には、Ｓ１０１５に処理を進める。
【０３１５】
Ｓ１０１５に処理を進めた場合、ＣＰＵ４０２は、図３４に示す中綴じ処理トレイに排紙する製本印刷処理を実行し、処理を終える。
【０３１６】
一方、Ｓ１０１６に処理を進めた場合、ＣＰＵ４０２は、表紙の両面に印刷する指定がされているか否かを判断する。表紙の両面に印刷する指定がされていると判断した場合には、ＣＰＵ４０２は、Ｓ１０１７に処理を進め、表紙の両面に印刷する指定がされていないと判断した場合には、Ｓ１０１８に処理を進める。
【０３１７】
Ｓ１０１７に処理を進めた場合、ＣＰＵ４０２は、製本物につける表紙が両面印刷可能な用紙か否かを判断する。両面印刷できない用紙であると判断した場合には、ＣＰＵ４０２は、Ｓ１０１９に処理を進め、両面印刷可能な用紙であると判断した場合には、Ｓ１０１５に処理を進める。
【０３１８】
Ｓ１０１９に処理を進めた場合、ＣＰＵ４０２は、ジョブを強制的に終了する処理を行い、図２４に示すエラーメッセージを表示部５０５に表示させ、処理を終える。
【０３１９】
一方、Ｓ１０１８に処理を進めた場合、ＣＰＵ４０２は、表紙の内側に印刷する指定がされているか否かを判断する。表紙の内側に印刷する指定がされていると判断した場合には、ＣＰＵ４０２は、Ｓ１０２０に処理を進め、表紙の内側に印刷する指定がされていないと判断した場合には、Ｓ１０２１に処理を進める。
【０３２０】
Ｓ１０２１に処理を進めた場合、ＣＰＵ４０２は、図３４に示す中綴じ処理トレイに排紙する製本印刷処理を実行し、処理を終える。
【０３２１】
一方、Ｓ１０２０に処理を進めた場合、ＣＰＵ４０２は、製本物につける表紙が両面印刷可能な用紙か否かを判断する。両面印刷できない用紙であると判断した場合には、ＣＰＵ４０２はＳ１０１９に処理を進め、両面印刷可能な用紙であると判断した場合にはＳ１０２１に処理を進める。
【０３２２】
図３３は、図３２のＳ１００８やＳ１０１４の積載トレイに排紙する製本印刷処理手順を示すフローチャートである。
【０３２３】
まず、Ｓ２００１において、ＣＰＵ４０２は、表紙に印刷する指定がされているか否かを判断する。表紙に印刷する指定がされていると判断した場合には、ＣＰＵ４０２は、Ｓ２００３に処理を進め、表紙に印刷する指定がされていないと判断した場合には、Ｓ２００２に処理を進める。
【０３２４】
Ｓ２００２に処理を進めた場合、ＣＰＵ４０２は、各ページのレイアウトを図２８（ａ）に示すような方法で行い、Ｓ２００４に処理を進める。
【０３２５】
Ｓ２００４において、ＣＰＵ４０２は、本文に該当する用紙に対して画像形成処理を行い、Ｓ２００５に処理を進める。
【０３２６】
Ｓ２００５において、ＣＰＵ４０２は、綴じ処理及び折り処理を実行せずに本文に該当する用紙を積載トレイ３２８に排紙するよう制御し、Ｓ２００６に処理を進める。
【０３２７】
Ｓ２００６において、ＣＰＵ４０２は、表紙をつける指定がされているか否かを判断する。表紙をつける指定がされていると判断した場合には、ＣＰＵ４０２は、Ｓ２００７に処理を進め、表紙をつける指定がされていないと判断した場合には、処理を終える。
【０３２８】
Ｓ２００７に処理を進めた場合、ＣＰＵ４０２は、綴じ処理及び折り処理を実行せずに表紙に該当する用紙を積載トレイ３２８に排紙するよう制御し、処理を終える。
【０３２９】
一方、Ｓ２００２からＳ２００３に処理を進めた場合、ＣＰＵ４０２は、表紙の両面に印刷する指定がされているか否かを判断する。表紙の両面に印刷する指定がされていると判断した場合、ＣＰＵ４０２はＳ２００８に処理を進め、表紙の両面に印刷する指定がされていないと判断した場合、Ｓ２００９に処理を進める。
【０３３０】
Ｓ２００８に処理を進めた場合、ＣＰＵ４０２は、各ページのレイアウトを図２８（ｂ）に示すような方法で行い、Ｓ２０１０に処理を進める。
【０３３１】
Ｓ２０１０において、ＣＰＵ４０２は、本文に該当する用紙に対して画像形成処理を行い、Ｓ２０１１に処理を進める。
【０３３２】
Ｓ２０１１において、ＣＰＵ４０２は、綴じ処理及び折り処理を実行せずに本文に該当する用紙を積載トレイ３２８に排紙するよう制御する。
【０３３３】
Ｓ２０１２において、ＣＰＵ４０２は、表紙に該当する用紙に対して画像形成処理を行い、Ｓ２０１３に処理を進める。
【０３３４】
Ｓ２０１３において、ＣＰＵ４０２は、綴じ処理及び折り処理を実行せずに表紙に該当する用紙を積載トレイ３２８に排紙するよう制御し、処理を終える。
【０３３５】
一方、Ｓ２００３からＳ２００９に処理を進めた場合、ＣＰＵ４０２は、表紙の内側に印刷する指定がされているか否かを判断する。表紙の内側に印刷する指定がされていると判断した場合、ＣＰＵ４０２はＳ２０１４に処理を進め、表紙の内側に印刷する指定がされていないと判断した場合、ＣＰＵ４０２はＳ２０１５に処理を進める。
【０３３６】
Ｓ２０１４に処理を進めた場合、ＣＰＵ４０２は、各ページのレイアウトを図２９（ａ）に示すような方法で行い、Ｓ２０１６に処理を進める。
【０３３７】
Ｓ２０１６において、ＣＰＵ４０２は、本文に該当する用紙に対して画像形成処理を行い、Ｓ２０１７に処理を進める。
【０３３８】
Ｓ２０１７において、ＣＰＵ４０２は、綴じ処理及び折り処理を実行せずに本文に該当する用紙を積載トレイ３２８に排紙するよう制御する。
【０３３９】
Ｓ２０１８において、ＣＰＵ４０２は、表紙に該当する用紙に対して画像形成処理を行い、Ｓ２０１９に処理を進める。
【０３４０】
Ｓ２０１９において、ＣＰＵ４０２は、表紙に該当する用紙を印刷面が下向きとなるように排紙口５９へと排紙し、綴じ処理及び折り処理を実行せずに表紙に該当する用紙を積載トレイ３２８に排紙するよう制御し、処理を終える。
【０３４１】
一方、Ｓ２０１５に処理を進めた場合、ＣＰＵ４０２は、各ページのレイアウトを図２９（ｂ）に示すような方法で行い、Ｓ２０２０に処理を進める。
【０３４２】
Ｓ２０２０において、ＣＰＵ４０２は、本文に該当する用紙に対して画像形成処理を行い、Ｓ２０２１に処理を進める。
【０３４３】
Ｓ２０２１において、ＣＰＵ４０２は、綴じ処理及び折り処理を実行せずに本文に該当する用紙を積載トレイ３２８に排紙するよう制御する。
【０３４４】
Ｓ２０２２において、ＣＰＵ４０２は、表紙に該当する用紙に対して画像形成処理を行い、Ｓ２０２３に処理を進める。
【０３４５】
Ｓ２０２３において、ＣＰＵ４０２は、定着後の用紙を印刷面が下向きの状態で中継ユニット５６まで排出し、その内部構造を利用してスイッチバック搬送した後、両面印刷用搬送路５７まで搬送し、再度、定着器５５を通して、Ｓ２０２４に処理を進める。
【０３４６】
Ｓ２０２４において、ＣＰＵ４０２は、表紙に該当する用紙を印刷面が上向きとなるように排紙口５９へと排紙し、綴じ処理及び折り処理を実行せずに表紙に該当する用紙を積載トレイ３２８に排紙するよう制御し、処理を終える。
【０３４７】
図３４は、図３２のＳ１０１５やＳ１０２１の中綴じ処理トレイに排紙する製本印刷処理手順を示すフローチャートである。
【０３４８】
まず、Ｓ３００１において、ＣＰＵ４０２は、中綴じが指定されているか否かを判断する。中綴じが指定されていると判断した場合には、ＣＰＵ４０２は、Ｓ３００２に処理を進め、中綴じが指定されていないと判断した場合には、Ｓ３００５に処理を進める。
【０３４９】
Ｓ３００２に処理を進めた場合、ＣＰＵ４０２は、１部あたりの出力枚数を算出し、Ｓ３００３に処理を進める。図３０（ａ）に示すように、２ページの画像を１ページにレイアウトする場合、１部あたりの出力枚数は、（総ページ数＋３）／４の計算式により算出される。
【０３５０】
Ｓ３００３において、ＣＰＵ４０２は、１部あたりの出力枚数がシート処理装置３１５の中綴じ可能枚数を超えているか否かを判断する。なお、シート処理装置３１５の中綴じ可能枚数は、シート処理装置３１５の能力情報としてＲＯＭ４０４に格納されている。中綴じ可能枚数を超えていると判断した場合には、ＣＰＵ４０２は、Ｓ３００４に処理を進め、中綴じ可能枚数を超えていないと判断した場合には、Ｓ３００５に処理を進める。
【０３５１】
Ｓ３００４に処理を進めた場合、ＣＰＵ４０２は、ジョブを強制的に終了する処理を行い、図２５に示すエラーポップアップを表示部５０５に表示し、処理を終える。ここでは、Ｓ３００３で、中綴じ可能枚数を超えていると判断した場合に、ＣＰＵ４０２は、Ｓ３００４に処理を進め、図２５に示すエラーポップアップを表示部５０５に表示する例を説明した。しかしながら、本発明はこれに限られない。Ｓ３００３で、中綴じ可能枚数を超えていると判断した場合に、ＣＰＵ４０２は、図３３のＳ２００１に処理を進め、積載トレイに排紙する製本印刷処理手順を実行してもよい。
【０３５２】
一方、Ｓ３００５に処理を進めた場合、ＣＰＵ４０２は、表紙に印刷する指定がされているか否かを判断する。表紙に印刷する指定がされていると判断した場合には、ＣＰＵ４０２は、Ｓ３００７に処理を進め、表紙に印刷する指定がされていないと判断した場合には、Ｓ３００６に処理を進める。
【０３５３】
Ｓ３００６に処理を進めた場合、ＣＰＵ４０２は、各ページのレイアウトを図３０（ａ）に示すような方法で行い、Ｓ３００８に処理を進める。
【０３５４】
Ｓ３００８において、ＣＰＵ４０２は、本文に該当する用紙に対して画像形成処理を行い、Ｓ３００９に処理を進める。
【０３５５】
Ｓ３００９において、ＣＰＵ４０２は、本文に該当する用紙を搬送ローラ３７、３８によりスイッチバックさせた後、搬送パス４１内部に順に蓄積するよう制御する。
【０３５６】
Ｓ３０１０において、ＣＰＵ４０２は、表紙をつける指定がされているか否かを判断する。表紙をつける指定がされていると判断した場合には、ＣＰＵ４０２は、Ｓ３０１１に処理を進め、表紙をつける指定がされていないと判断した場合には、処理を終える。
【０３５７】
Ｓ３０１１において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０３５８】
一方、Ｓ３００７に処理を進めた場合、ＣＰＵ４０２は、表紙の両面に印刷する指定がされているか否かを判断する。表紙の両面に印刷する指定がされていると判断した場合には、ＣＰＵ４０２は、Ｓ３０１２に処理を進め、表紙の両面に印刷する指定がされていないと判断した場合には、Ｓ３０１３に処理を進める。
【０３５９】
Ｓ３０１２に処理を進めた場合、ＣＰＵ４０２は、各ページのレイアウトを図３０（ｂ）に示すような方法で行い、Ｓ３０１４に処理を進める。
【０３６０】
Ｓ３０１４において、ＣＰＵ４０２は、本文に該当する用紙に対して画像形成処理を行い、Ｓ３０１５に処理を進める。
【０３６１】
Ｓ３０１５において、ＣＰＵ４０２は、本文に該当する用紙を搬送ローラ３７、３８によりスイッチバックさせた後、搬送パス４１内部に順番に蓄積するよう制御する。
【０３６２】
Ｓ３０１６において、ＣＰＵ４０２は、表紙に該当する用紙に対して画像形成処理を行い、Ｓ３０１７に処理を進める。
【０３６３】
Ｓ３０１７において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０３６４】
一方、Ｓ３０１３に処理を進めた場合、ＣＰＵ４０２は、表紙の内側に印刷する指定がされているか否かを判断する。表紙の内側に印刷する指定がされていると判断した場合には、ＣＰＵ４０２は、Ｓ３０１８に処理を進め、表紙の内側に印刷する指定がされていないと判断した場合には、Ｓ３０１９に処理を進める。
【０３６５】
Ｓ３０１８に処理を進めた場合、ＣＰＵ４０２は、各ページのレイアウトを図３１（ａ）に示すような方法で行い、Ｓ３０２０に処理を進める。
【０３６６】
Ｓ３０２０において、ＣＰＵ４０２は、本文に該当する用紙に対して画像形成処理を行い、Ｓ３０２１に処理を進める。
【０３６７】
Ｓ３０２１において、ＣＰＵ４０２は、本文に該当する用紙を搬送ローラ３７、３８によりスイッチバックさせた後、搬送パス４１内部に順に蓄積するよう制御する。
【０３６８】
Ｓ３０２２において、ＣＰＵ４０２は、表紙に該当する用紙に対して画像形成処理を行い、Ｓ３０２３に処理を進める。
【０３６９】
Ｓ３０２３において、ＣＰＵ４０２は、定着後の用紙を印刷面が下向きの状態で中継ユニット５６まで排出し、その内部構造を利用してスイッチバック搬送した後、両面印刷用搬送路５７まで搬送し、再度、定着器５５を通して、Ｓ３０２４に処理を進める。
【０３７０】
Ｓ３０２４において、ＣＰＵ４０２は、表紙に該当する用紙を印刷面が上向きとなるように排紙口５９へと排紙する。その後、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０３７１】
一方、Ｓ３０１９に処理を進めた場合、ＣＰＵ４０２は、各ページのレイアウトを図３１（ｂ）に示すような方法で行い、Ｓ３０２５に処理を進める。
【０３７２】
Ｓ３０２５において、ＣＰＵ４０２は、本文に該当する用紙に対して画像形成処理を行い、Ｓ３０２６に処理を進める。
【０３７３】
Ｓ３０２６において、ＣＰＵ４０２は、本文に該当する用紙を搬送ローラ３７、３８によりスイッチバックさせた後、搬送パス４１内部に順に蓄積するよう制御する。
【０３７４】
Ｓ３０２７において、ＣＰＵ４０２は、表紙に該当する用紙に対して画像形成処理を行い、Ｓ３０２８に処理を進める。
【０３７５】
Ｓ３０２８において、ＣＰＵ４０２は、表紙に該当する用紙を搬送ローラ３７、３８によりスイッチバックさせた後、搬送パス４１内部に蓄積し、綴じ処理を実行した後、折り処理を実行し、中綴じ処理トレイ３３１に排紙するよう制御し、処理を終える。
【０３７６】
以上のように、両面印刷できない用紙を製本物の表紙として使用する場合、印刷面が下向きになるようにスイッチバック機構を搭載したシート処理装置へ排紙する。それによって、表紙の外側に画像が印刷された製本物を中綴じ処理トレイで得ることができる。
【０３７７】
＜その他の実施形態＞
なお、上述した実施形態では、左開きの製本物を生成する場合の原稿画像の各ページのレイアウト方法について説明したが、左開きに限られるものではない。
【０３７８】
以上、本発明の様々な例と実施形態を示して説明したが、当業者であれば、本発明の趣旨と範囲は、本明細書内の特定の説明に限定されるものではない。
【０３７９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０３８０】
４０２  ＣＰＵ
４０４  ＲＡＭ
４４０  ＨＤ
【図１】
0006614830.tif 000002
【図２】
0006614830.tif 000003
【図３】
0006614830.tif 000004
【図４】
0006614830.tif 000005
【図５】
0006614830.tif 000006
【図６】
0006614830.tif 000007
【図７】
0006614830.tif 000008
【図８】
0006614830.tif 000009
【図９】
0006614830.tif 000010
【図１０】
0006614830.tif 000011
【図１１】
0006614830.tif 000012
【図１２】
0006614830.tif 000013
【図１３】
0006614830.tif 000014
【図１４】
0006614830.tif 000015
【図１５】
0006614830.tif 000016
【図１６】
0006614830.tif 000017
【図１７】
0006614830.tif 000018
【図１８】
0006614830.tif 000019
【図１９】
0006614830.tif 000020
【図２０】
0006614830.tif 000021
【図２１】
0006614830.tif 000022
【図２２】
0006614830.tif 000023
【図２３】
0006614830.tif 000024
【図２４】
0006614830.tif 000025
【図２５】
0006614830.tif 000026
【図２６】
0006614830.tif 000027
【図２７】
0006614830.tif 000028
【図２８】
0006614830.tif 000029
【図２９】
0006614830.tif 000030
【図３０】
0006614830.tif 000031
【図３１】
0006614830.tif 000032
【図３２】
0006614830.tif 000033
【図３３】
0006614830.tif 000034
【図３４】
0006614830.tif 000035